(57)【要約】【課題】ＩＰ電話通信のデータ通信を行っていない無音状態の端末装置（ＳＴＡＮ）が存在する状況下でも、信頼性の高いＩＰ電話通信の接続可否を行うことを可能とするＩＰ電話通信システムを提供する。【解決手段】複数の無線基地局（ＡＰ１〜Ｎ：Ｎは、任意の整数）と、各無線基地局（ＡＰ１〜Ｎ）の配下に存在する複数の端末装置（ＳＴＡ１〜Ｎ）と、を少なくとも有して構成するＩＰ電話通信システムにおいて、各無線基地局（ＡＰ１〜Ｎ）は、ＩＰ電話通信の回線を確立した端末装置（ＳＴＡ１〜Ｎ）の中で、ＩＰ電話通信を行っていない無音状態の端末装置（ＳＴＡＮ）が存在するか否かを判断し、無音状態の端末装置（ＳＴＡＮ）が存在すると判断した場合に、その無音状態の端末装置（ＳＴＡＮ）がＩＰ電話通信を実行した状態に相当する擬似的なＩＰ電話通信を行う。【選択図】図１
2007267266.tif 000002
【特許請求の範囲】
【請求項１】
ＩＰ電話通信の回線を確立した端末装置の中で、ＩＰ電話通信を行っていない無音状態の端末装置が存在するか否かを判断する無音状態判断手段と、
前記無音状態の端末装置が存在すると判断した場合に、その無音状態の端末装置がＩＰ電話通信を実行した状態に相当する擬似的なＩＰ電話通信を行う擬似ＩＰ電話通信実行手段と、
を有することを特徴とする接続制御装置。
【請求項２】
前記擬似ＩＰ電話通信実行手段は、
前記無音状態の端末装置がＩＰ電話通信を実行した状態に相当する擬似的なＩＰパケットデータを生成し、該生成した擬似的なＩＰパケットデータをネットワークに送信することを特徴とする請求項１記載の接続制御装置。
【請求項３】
前記擬似ＩＰ電話通信実行手段は、
実際にＩＰ電話通信を行っているＩＰパケットデータを優先させながら、前記擬似的なＩＰパケットデータをネットワークに送信するように制御することを特徴とする請求項２記載の接続制御装置。
【請求項４】
前記擬似的なＩＰ電話通信を行っている状態で、新たにＩＰ電話通信を実行したい追加端末装置のＩＰ電話接続が可能か否かを判断するＩＰ電話接続可否判断手段を有することを特徴とする請求項１記載の接続制御装置。
【請求項５】
前記ＩＰ電話接続可否判断手段は、
前記追加端末装置とＩＰ電話通信を行う相手端末装置が接続されている無線基地局とのネットワーク間で試験的なＩＰ電話通信を行い、その試験的なＩＰ電話通信を行った際に、前記ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とする請求項４記載の接続制御装置。
【請求項６】
前記ＩＰ電話接続可否判断手段は、
前記追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、前記追加端末装置のＩＰ電話通信の接続制御を管理する接続管理装置に送信し、前記接続管理装置が前記通信品質情報を基に前記追加端末装置のＩＰ電話通信の接続可否を判定した判定結果を受信し、該受信した判定結果を基に、ＩＰ電話接続が可能か否かを判断し、前記判定結果がＩＰ電話通信の接続可の判定結果の場合には、ＩＰ電話接続が可能と判断し、前記判定結果がＩＰ電話通信の接続不可の判定結果の場合には、ＩＰ電話接続が不可能と判断することを特徴とする請求項４記載の接続制御装置。
【請求項７】
前記ＩＰ電話接続可否判断手段は、
前記無線基地局とのネットワーク間で試験的なＩＰパケットデータを送受信し、前記試験的なＩＰ電話通信を行うことを特徴とする請求項５または６記載の接続制御装置。
【請求項８】
前記ＩＰ電話接続可否判断手段は、
実際にＩＰ電話通信を行っているＩＰパケットデータを優先させながら、前記試験的なＩＰパケットデータを送受信するように制御することを特徴とする請求項７記載の接続制御装置。
【請求項９】
前記無音状態判断手段は、
前記端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項１記載の接続制御装置。
【請求項１０】
前記ＩＰパケットデータには、ＩＰ電話通信であるか否かを判断するための判断情報が含まれており、
前記無音状態判断手段は、
前記端末装置から送信されるＩＰパケットデータを解析し、ＩＰパケットデータの送信状況を調べ、前記判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項９記載の接続制御装置。
【請求項１１】
前記ＩＰ電話接続可否判断手段は、
前記追加端末装置からのＩＰ電話通信の接続要求を受信した際に、前記追加端末装置のＩＰ電話接続が可能か否かを判断することを特徴とする請求項４記載の接続制御装置。
【請求項１２】
前記ＩＰ電話接続可否判断手段は、
前記追加端末装置のＩＰ電話通信の接続制御を管理する接続管理装置から送信される制御指示を受信した際に、前記追加端末装置のＩＰ電話接続が可能か否かを判断することを特徴とする請求項４記載の接続制御装置。
【請求項１３】
複数の無線基地局と、前記無線基地局の配下に存在する端末装置と、を少なくとも有して構成されるＩＰ電話通信システムであって、
前記無線基地局は、
ＩＰ電話通信の回線を確立した端末装置の中で、ＩＰ電話通信を行っていない無音状態の端末装置が存在するか否かを判断する無音状態判断手段と、
前記無音状態の端末装置が存在すると判断した場合に、その無音状態の端末装置がＩＰ電話通信を実行した状態に相当する擬似的なＩＰ電話通信を行う擬似ＩＰ電話通信実行手段と、
を有することを特徴とするＩＰ電話通信システム。
【請求項１４】
前記無線基地局は、
前記無音状態の端末装置がＩＰ電話通信を実行した状態に相当する擬似的なＩＰパケットデータを生成し、該生成した擬似的なＩＰパケットデータをネットワークに送信することを特徴とする請求項１３記載のＩＰ電話通信システム。
【請求項１５】
前記無線基地局は、
実際にＩＰ電話通信を行っているＩＰパケットデータを優先させながら、前記擬似的なＩＰパケットデータをネットワークに送信するように制御することを特徴とする請求項１４記載のＩＰ電話通信システム。
【請求項１６】
前記無線基地局は、
前記擬似的なＩＰ電話通信を行っている状態で、新たにＩＰ電話通信を実行したい追加端末装置のＩＰ電話接続が可能か否かを判断するＩＰ電話接続可否判断手段を有することを特徴とする請求項１３記載のＩＰ電話通信システム。
【請求項１７】
前記無線基地局は、
前記追加端末装置とＩＰ電話通信を行う相手端末装置が接続されている他の無線基地局とのネットワーク間で試験的なＩＰ電話通信を行い、その試験的なＩＰ電話通信を行った際に、前記ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とする請求項１６記載のＩＰ電話通信システム。
【請求項１８】
前記追加端末装置のＩＰ電話通信の接続制御を管理する接続管理装置を有し、
前記無線基地局は、
前記追加端末装置とＩＰ電話通信を行う相手端末装置が接続されている他の無線基地局とのネットワーク間で試験的なＩＰ電話通信を行い、その試験的なＩＰ電話通信を行った際の通信品質に関係する通信品質情報を収集し、該収集した通信品質情報を、前記接続管理装置に送信し、前記接続管理装置が前記通信品質情報を基に前記追加端末装置のＩＰ電話通信の接続可否を判定した判定結果を前記接続管理装置から受信し、該受信した判定結果を基に、ＩＰ電話接続が可能か否かを判断し、前記判定結果がＩＰ電話通信の接続可の判定結果の場合には、ＩＰ電話接続が可能と判断し、前記判定結果がＩＰ電話通信の接続不可の判定結果の場合には、ＩＰ電話接続が不可能と判断することを特徴とする請求項１６記載のＩＰ電話通信システム。
【請求項１９】
前記無線基地局は、
前記他の無線基地局とのネットワーク間で試験的なＩＰパケットデータを送受信し、前記試験的なＩＰ電話通信を行うことを特徴とする請求項１７または１８記載のＩＰ電話通信システム。
【請求項２０】
前記無線基地局は、
実際にＩＰ電話通信を行っているＩＰパケットデータを優先させながら、前記試験的なＩＰパケットデータを送受信するように制御することを特徴とする請求項１９記載のＩＰ電話通信システム。
【請求項２１】
前記無線基地局は、
前記端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項１３記載のＩＰ電話通信システム。
【請求項２２】
前記ＩＰパケットデータには、ＩＰ電話通信であるか否かを判断するための判断情報が含まれており、
前記無線基地局は、
前記端末装置から送信されるＩＰパケットデータを解析し、ＩＰパケットデータの送信状況を調べ、前記判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項２１記載のＩＰ電話通信システム。
【請求項２３】
前記無線基地局は、
前記追加端末装置からのＩＰ電話通信の接続要求を受信した際に、前記追加端末装置のＩＰ電話接続が可能か否かを判断することを特徴とする請求項１６記載のＩＰ電話通信システム。
【請求項２４】
前記無線基地局は、
前記追加端末装置のＩＰ電話通信の接続制御を管理する接続管理装置から送信される制御指示を受信した際に、前記追加端末装置のＩＰ電話接続が可能か否かを判断することを特徴とする請求項１６記載のＩＰ電話通信システム。
【請求項２５】
ＩＰ電話通信を実行したい追加端末装置のＩＰ電話通信の接続制御を管理する接続管理装置を有し、
前記接続管理装置は、
前記無線基地局が擬似的なＩＰ電話通信を行っている状態で、前記追加端末装置と接続している無線基地局において、前記追加端末装置のＩＰ電話接続が可能か否かを判定するＩＰ電話接続可否判定手段を有することを特徴とする請求項１３記載のＩＰ電話通信システム。
【請求項２６】
前記接続管理装置は、
前記追加端末装置と接続している第１の無線基地局と、前記追加端末装置とＩＰ電話通信を行う相手端末装置と接続している第２の無線基地局と、のネットワーク間で試験的なＩＰ電話通信を実行させ、前記ネットワーク間で試験的なＩＰ電話通信を実行させた際の通信品質に関係する通信品質情報を、前記第１の無線基地局と前記第２の無線基地局とから取得し、該取得した通信品質情報を基に、ＩＰ電話接続が可能か否かを判定することを特徴とする請求項２５記載のＩＰ電話通信システム。
【請求項２７】
前記接続管理装置は、
前記試験的なＩＰ電話通信を実行させるための制御指示を、前記第１の無線基地局と前記第２の無線基地局とに送信し、
前記第１の無線基地局と前記第２の無線基地局とは、
前記制御指示を受信した際に、前記第１の無線基地局と、前記第２の無線基地局と、のネットワーク間で試験的なＩＰパケットデータを送受信し、前記試験的なＩＰ電話通信を実行することを特徴とする請求項２６記載のＩＰ電話通信システム。
【請求項２８】
前記接続管理装置は、
前記通信品質情報が所定の通信品質未満か否かを判断し、所定の通信品質以上と判断した場合に、ＩＰ電話接続が可能と判定し、所定の通信品質未満と判断した場合に、ＩＰ電話接続が不可能と判定することを特徴とする請求項２６記載のＩＰ電話通信システム。
【請求項２９】
前記第１の無線基地局と前記第２の無線基地局とは、
実際にＩＰ電話通信を行っているＩＰパケットデータを優先させながら、前記試験的なＩＰパケットデータを送受信するように制御することを特徴とする請求項２７記載のＩＰ電話通信システム。
【請求項３０】
ＩＰ電話通信の接続可否を判断する接続制御装置が行う接続制御方法であって、
前記接続制御装置とＩＰ電話通信の回線を確立した端末装置の中で、ＩＰ電話通信を行っていない無音状態の端末装置が存在するか否かを判断する無音状態判断工程と、
前記無音状態の端末装置が存在すると判断した場合に、その無音状態の端末装置がＩＰ電話通信を実行した状態に相当する擬似的なＩＰ電話通信を行う擬似ＩＰ電話通信実行工程と、
を、前記接続制御装置が行うことを特徴とする接続制御方法。
【請求項３１】
前記擬似ＩＰ電話通信実行工程は、
前記無音状態の端末装置がＩＰ電話通信を実行した状態に相当する擬似的なＩＰパケットデータを生成し、該生成した擬似的なＩＰパケットデータをネットワークに送信することを特徴とする請求項３０記載の接続制御方法。
【請求項３２】
前記擬似ＩＰ電話通信実行工程は、
実際にＩＰ電話通信を行っているＩＰパケットデータを優先させながら、前記擬似的なＩＰパケットデータをネットワークに送信するように制御することを特徴とする請求項３１記載の接続制御方法。
【請求項３３】
前記擬似的なＩＰ電話通信を行っている状態で、新たにＩＰ電話通信を実行したい追加端末装置のＩＰ電話接続が可能か否かを判断するＩＰ電話接続可否判断工程を、前記接続制御装置が行うことを特徴とする請求項３０記載の接続制御方法。
【請求項３４】
前記ＩＰ電話接続可否判断工程は、
前記追加端末装置とＩＰ電話通信を行う相手端末装置が接続されている無線基地局とのネットワーク間で試験的なＩＰ電話通信を行い、その試験的なＩＰ電話通信を行った際に、前記ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とする請求項３３記載の接続制御方法。
【請求項３５】
前記ＩＰ電話接続可否判断工程は、
前記追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、前記追加端末装置のＩＰ電話通信の接続制御を管理する接続管理装置に送信し、前記接続管理装置が前記通信品質情報を基に前記追加端末装置のＩＰ電話通信の接続可否を判定した判定結果を受信し、該受信した判定結果を基に、ＩＰ電話接続が可能か否かを判断し、前記判定結果がＩＰ電話通信の接続可の判定結果の場合には、ＩＰ電話接続が可能と判断し、前記判定結果がＩＰ電話通信の接続不可の判定結果の場合には、ＩＰ電話接続が不可能と判断することを特徴とする請求項３３記載の接続制御方法。
【請求項３６】
前記ＩＰ電話接続可否判断工程は、
前記無線基地局とのネットワーク間で試験的なＩＰパケットデータを送受信し、前記試験的なＩＰ電話通信を行うことを特徴とする請求項３４または３５記載の接続制御方法。
【請求項３７】
前記ＩＰ電話接続可否判断工程は、
実際にＩＰ電話通信を行っているＩＰパケットデータを優先させながら、前記試験的なＩＰパケットデータを送受信するように制御することを特徴とする請求項３６記載の接続制御方法。
【請求項３８】
前記無音状態判断工程は、
前記端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項３０記載の接続制御方法。
【請求項３９】
前記ＩＰパケットデータには、ＩＰ電話通信であるか否かを判断するための判断情報が含まれており、
前記無音状態判断工程は、
前記端末装置から送信されるＩＰパケットデータを解析し、ＩＰパケットデータの送信状況を調べ、前記判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項３８記載の接続制御方法。
【請求項４０】
前記ＩＰ電話接続可否判断工程は、
前記追加端末装置からのＩＰ電話通信の接続要求を受信した際に、前記追加端末装置のＩＰ電話接続が可能か否かを判断することを特徴とする請求項３３記載の接続制御方法。
【請求項４１】
前記ＩＰ電話接続可否判断工程は、
前記追加端末装置のＩＰ電話通信の接続制御を管理する接続管理装置から送信される制御指示を受信した際に、前記追加端末装置のＩＰ電話接続が可能か否かを判断することを特徴とする請求項３３記載の接続制御方法。
【請求項４２】
ＩＰ電話通信の接続可否を判断する接続制御装置において実行させる接続制御プログラムであって、
前記接続制御装置とＩＰ電話通信の回線を確立した端末装置の中で、ＩＰ電話通信を行っていない無音状態の端末装置が存在するか否かを判断する無音状態判断処理と、
前記無音状態の端末装置が存在すると判断した場合に、その無音状態の端末装置がＩＰ電話通信を実行した状態に相当する擬似的なＩＰ電話通信を行う擬似ＩＰ電話通信実行処理と、
を、前記接続制御装置に実行させることを特徴とする接続制御プログラム。
【請求項４３】
前記擬似ＩＰ電話通信実行処理は、
前記無音状態の端末装置がＩＰ電話通信を実行した状態に相当する擬似的なＩＰパケットデータを生成し、該生成した擬似的なＩＰパケットデータをネットワークに送信することを特徴とする請求項４２記載の接続制御プログラム。
【請求項４４】
前記擬似ＩＰ電話通信実行処理は、
実際にＩＰ電話通信を行っているＩＰパケットデータを優先させながら、前記擬似的なＩＰパケットデータをネットワークに送信するように制御することを特徴とする請求項４３記載の接続制御プログラム。
【請求項４５】
前記擬似的なＩＰ電話通信を行っている状態で、新たにＩＰ電話通信を実行したい追加端末装置のＩＰ電話接続が可能か否かを判断するＩＰ電話接続可否判断処理を、前記接続制御装置に実行させることを特徴とする請求項４２記載の接続制御プログラム。
【請求項４６】
前記ＩＰ電話接続可否判断処理は、
前記追加端末装置とＩＰ電話通信を行う相手端末装置が接続されている無線基地局とのネットワーク間で試験的なＩＰ電話通信を行い、その試験的なＩＰ電話通信を行った際に、前記ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とする請求項４５記載の接続制御プログラム。
【請求項４７】
前記ＩＰ電話接続可否判断処理は、
前記追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、前記追加端末装置のＩＰ電話通信の接続制御を管理する接続管理装置に送信し、前記接続管理装置が前記通信品質情報を基に前記追加端末装置のＩＰ電話通信の接続可否を判定した判定結果を受信し、該受信した判定結果を基に、ＩＰ電話接続が可能か否かを判断し、前記判定結果がＩＰ電話通信の接続可の判定結果の場合には、ＩＰ電話接続が可能と判断し、前記判定結果がＩＰ電話通信の接続不可の判定結果の場合には、ＩＰ電話接続が不可能と判断することを特徴とする請求項４５記載の接続制御プログラム。
【請求項４８】
前記ＩＰ電話接続可否判断処理は、
前記無線基地局とのネットワーク間で試験的なＩＰパケットデータを送受信し、前記試験的なＩＰ電話通信を行うことを特徴とする請求項４６または４７記載の接続制御プログラム。
【請求項４９】
前記ＩＰ電話接続可否判断処理は、
実際にＩＰ電話通信を行っているＩＰパケットデータを優先させながら、前記試験的なＩＰパケットデータを送受信するように制御することを特徴とする請求項４８記載の接続制御プログラム。
【請求項５０】
前記無音状態判断処理は、
前記端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項４２記載の接続制御プログラム。
【請求項５１】
前記ＩＰパケットデータには、ＩＰ電話通信であるか否かを判断するための判断情報が含まれており、
前記無音状態判断処理は、
前記端末装置から送信されるＩＰパケットデータを解析し、ＩＰパケットデータの送信状況を調べ、前記判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とする請求項５０記載の接続制御プログラム。
【請求項５２】
前記ＩＰ電話接続可否判断処理は、
前記追加端末装置からのＩＰ電話通信の接続要求を受信した際に、前記追加端末装置のＩＰ電話接続が可能か否かを判断することを特徴とする請求項４２記載の接続制御プログラム。
【請求項５３】
前記ＩＰ電話接続可否判断処理は、
前記追加端末装置のＩＰ電話通信の接続制御を管理する接続管理装置から送信される制御指示を受信した際に、前記追加端末装置のＩＰ電話接続が可能か否かを判断することを特徴とする請求項４２記載の接続制御プログラム。
【発明の詳細な説明】
【技術分野】
【０００１】
本発明は、ＩＰ電話通信の接続可否を判断する接続制御装置、ＩＰ電話通信システム、接続制御方法及び接続制御プログラムに関し、特に、ＩＰ電話通信の回線を確立している端末装置の中で、ＩＰ電話通信を行っていない無音状態の端末装置が存在する状況下においてＩＰ電話通信の接続可否を判断する接続制御装置、ＩＰ電話通信システム、接続制御方法及び接続制御プログラムに関するものである。
【背景技術】
【０００２】
無線ＬＡＮを使用するＩＰ電話通信システムでは、無線基地局の制約、電波干渉、通信プロトコルの制約などの問題点が存在するため、ＩＰ電話通信を行う際に、一定のサービス品質を保証することが可能な端末装置の台数が無線基地局において制限されてしまうことになる。なお、一定のサービス品質を保証することが可能な端末装置の台数を超えてしまうと、音声品質が劣化し、音声が途切れてしまうことになる。また、この音声品質の劣化の影響は、その無線基地局に接続している全ての端末装置に対して及ぼすことになる。このため、コールアドミッション制御などの接続制御機能が重要視されることになる。
【０００３】
なお、コールアドミッション制御とは、例えば、図１６に示すように、無線基地局（ＡＰ１）が追加端末装置（ＳＴＡ）からＩＰ電話通信の接続要求を受信した際に（ステップＡ１１）、その無線基地局（ＡＰ１）において帯域を確保することが可能か否かを、無線基地局（ＡＰ１）または管理制御装置（１００）が判断し、その無線基地局（ＡＰ１）において帯域を確保することができないと無線基地局（ＡＰ１）または管理制御装置（１００）が判断した場合に、追加端末装置（ＳＴＡ）からのＩＰ電話通信の接続要求を拒否する接続制御である（ステップＡ１２）。このコールアドミッション制御により、追加端末装置（ＳＴＡ）は、帯域を確保することが可能な最適な無線基地局（ＡＰＮ）への接続を意図的に行い（ステップＡ１３）、一定のサービス品質を保証することが可能となる。なお、図１６に示す管理制御装置（１００）は、各無線基地局（ＡＰ１，ＡＰＮ）を統括して管理する制御装置である。
【０００４】
また、ＩＰ電話通信システムにおいて、例えば、図１７に示すように、追加端末装置（ＳＴＡ）からの新たなＩＰ電話通信の接続要求を第１の無線基地局（ＡＰ１）が受信した際に（ステップＡ２１）、第１の無線基地局（ＡＰ１）は、ＩＰ電話通信の接続要求先の相手端末装置（ＳＴＡ）と接続している第２の無線基地局（ＡＰ２）に対し、新たに接続することになるＩＰ電話通信分の試験的なＩＰパケットデータを送信し（ステップＡ２２）、第１の無線基地局（ＡＰ１）と第２の無線基地局（ＡＰ２）とのネットワーク（ＮＷ）間において一定の帯域を確保することが可能と第１の無線基地局（ＡＰ１）が判断した場合に、第１の無線基地局（ＡＰ１）は、追加端末装置（ＳＴＡ）からのＩＰ電話通信の接続を容認するようなシステム制御の方法が考案されている（ステップＡ２３）。これにより、試験的なＩＰパケットデータ送信時のネットワーク（ＮＷ）の帯域状態を基に、追加端末装置（ＳＴＡ）からのＩＰ電話通信の接続要求を容認するか否かを第１の無線基地局（ＡＰ１）が判断することになるため、追加端末装置（ＳＴＡ）がＩＰ電話通信の接続を行った場合でも、ネットワーク（ＮＷ）において一定の帯域を確保することが可能となり、ＩＰ電話通信の接続を容認した全ての端末装置に対して一定のサービス品質を保証することが可能となる。
【０００５】
しかしながら、図１８に示すように、第１の無線基地局（ＡＰ１）とＩＰ電話通信の回線を確立している複数の端末装置（ＳＴＡ１〜Ｎ：Ｎは、任意の整数）の中には、無音圧縮機能などによりＩＰ電話通信のデータ通信を行っていない無音状態の端末装置（ＳＴＡＮ）が存在する場合がある。このため、第１の無線基地局（ＡＰ１）とＩＰ電話通信の回線を確立している端末装置（ＳＴＡ１〜Ｎ）の中で実際にＩＰ電話通信のデータ通信を行っている実行状態の端末装置の台数が動的に変化することになり、結果として、第１の無線基地局（ＡＰ１）のアップリンク側となるネットワーク（ＮＷ）の帯域状態が動的に変化し、ネットワーク（ＮＷ）の帯域状態が不定となってしまうことになる。
【０００６】
従って、第１の無線基地局（ＡＰ１）の配下に存在するＩＰ電話通信の回線を確立していない追加端末装置（ＳＴＡ）から、新たなＩＰ電話通信の接続要求が行われた際に、ネットワーク（ＮＷ）において一定の帯域を確保することが可能と第１の無線基地局（ＡＰ１）が判断し、追加端末装置（ＳＴＡ）からの新たなＩＰ電話通信の接続を容認した後に、ＩＰ電話通信のデータ通信を行っていなかった無音状態の端末装置（ＳＴＡＮ）が、ＩＰ電話通信のデータ通信を行った場合には、ネットワーク（ＮＷ）において一定の帯域を確保することができない状態を招き、ＩＰ電話通信の接続を容認した全ての端末装置に対して一定のサービス品質を保証することができない状態を発生させてしまう虞がある。
【０００７】
このように、従来の無線基地局（ＡＰ１〜Ｎ）は、その無線基地局（ＡＰ１〜Ｎ）とＩＰ電話通信の回線を確立した端末装置（ＳＴＡ１〜Ｎ）の中で、無音状態の端末装置（ＳＴＡＮ）が存在する場合には、本来ＩＰ電話通信の接続要求を拒否すべき追加端末装置（ＳＴＡ）からのＩＰ電話通信の接続要求を容認し、その接続要求を拒否すべき追加端末装置（ＳＴＡ）のＩＰ電話通信が行われてしまう状況が発生することになるため、無音状態の端末装置（ＳＴＡＮ）が存在する状況下も考慮して、信頼性の高いＩＰ電話通信の接続可否の制御を実現することが必要になる。
【０００８】
なお、本発明より先に出願された特許文献として、通信網上の特定区間に接続された確認対象装置の実際に利用可能な帯域の大きさを、確認対象装置とは異なる場所で確認するための帯域確認装置であって、前記特定区間に接続され前記確認対象装置に入出力される情報を中継もしくは監視する所定の帯域情報取得装置にアクセスして帯域測定を行い、第１ステップでは追加トラヒックを送出せずにｎ１個の測定値を入力し基準値Ｂ以上の測定値が判定基準値ｍ１個得られたら確認成功とみなし、第２ステップでは第１ステップの値の統計値で決定した帯域Ｂ２の追加トラヒックを送出してｎ２個の測定値を入力し基準値Ｂ以上の測定値が判定基準値ｍ２以上得られたら確認成功とみなし、第３ステップでは帯域Ｂ３の追加トラヒックを送出してｎ３個の測定値を入力し帯域基準値Ｂ以上の測定値が判定基準値ｍ３以上得られたら確認成功とみなし、判定基準値ｍ３未満の場合は確認不成功とみなすことで、利用可能帯域の確認結果に関する信頼性を高めることを可能とした帯域確認装置が開示された文献がある（例えば、特許文献１参照）。
【０００９】
また、ゲートウェイを介した一般端末と移動体端末間をホームエージェントとコールエージェントとによりルート最適化するネットワークにおいて、上記一般端末が経由するゲートウェイは、通話開始に先立って上記移動体端末からの呼びかけ、または呼びかけ応答に、ダミー音声パケットを送信するステップと、上記移動端末を管理するホームエージェントは、上記ダミー音声パケット送信を受けて上記移動体端末のアドレスを含むバインド・メッセージを送信するステップとを備えて、ゲートウェイは、上記バインド・メッセージを受信すると、ルート最適化を開始するようにし、通話以前に最適化音声ＩＰパケット用ルートを得ることを可能とした音声パケット用通信路最適化方法が開示された文献がある（例えば、特許文献２参照）。
【００１０】
また、ネットワークを介して接続される複数のパケット転送装置と、各パケット転送装置に接続される少なくとも１つの端末装置と、を備え、発呼元端末装置は、相手先端末装置へのパケットを試行クラスの優先度で、接続されるパケット転送装置に一定時間送出し、該パケットの通信品質が十分か否かを推定し、十分であれば、その後パケットを優先クラスのパケットとして送出する端末主導のパケット通信システムにおけるパケット送出方法であって、前記発呼元端末装置は、優先クラスのパケットの送出開始後も試行クラスのパケットを送出し、端末主導の観測型制御方法に基づき設定された優勢クラスの通信における実際の利用帯域の増減に拘らず、本来許可されるべきでない新たな通信を拒絶することにより、通信品質を維持するパケット送出方法が開示された文献がある（例えば、特許文献３参照）。
【特許文献１】特許第３４７９６３７号公報
【特許文献２】特開２００２−２９０４７８号公報
【特許文献３】特開２００５−２４４６２４号公報
【発明の開示】
【発明が解決しようとする課題】
【００１１】
なお、上記特許文献１には、通信網上の特定区間に接続された確認対象装置の実際に利用可能な帯域の大きさを、前記確認対象装置とは異なる場所で確認する技術について開示されているが、ＩＰ電話通信のデータ通信を行っていない無音状態の端末装置が存在する場合の対処方法については何ら考慮されたものではない。
【００１２】
また、上記特許文献２には、ダミー音声パケットを送信する技術について開示されているが、特許文献２は、通話以前に最適化音声ＩＰパケット用ルートを得るために、ダミー音声パケットを送信するものであり、ＩＰ電話通信のデータ通信を行っていない無音状態の端末装置が存在する場合の対処方法については何ら考慮されたものではない。
【００１３】
また、上記特許文献３には、試行クラスのパケットを送出し、端末主導の観測型制御方法に基づき設定された優勢クラスの通信における実際の利用帯域の増減に拘らず、本来許可されるべきでない新たな通信を拒絶する技術について開示されているが、ＩＰ電話通信のデータ通信を行っていない無音状態の端末装置が存在する場合の対処方法については何ら考慮されたものではない。
【００１４】
本発明は、上記事情に鑑みてなされたものであり、ＩＰ電話通信のデータ通信を行っていない無音状態の端末装置が存在する状況下でも、信頼性の高いＩＰ電話通信の接続可否を行うことを可能とする接続制御装置、ＩＰ電話通信システム、接続制御方法及び接続制御プログラムを提供することを目的とするものである。
【課題を解決するための手段】
【００１５】
かかる目的を達成するために、本発明は以下の特徴を有することとする。
【００１６】
本発明にかかる接続制御装置は、ＩＰ電話通信の回線を確立した端末装置の中で、ＩＰ電話通信を行っていない無音状態の端末装置が存在するか否かを判断する無音状態判断手段と、無音状態の端末装置が存在すると判断した場合に、その無音状態の端末装置がＩＰ電話通信を実行した状態に相当する擬似的なＩＰ電話通信を行う擬似ＩＰ電話通信実行手段と、を有することを特徴とするものである。
【００１７】
また、本発明にかかる接続制御装置において、擬似ＩＰ電話通信実行手段は、無音状態の端末装置がＩＰ電話通信を実行した状態に相当する擬似的なＩＰパケットデータを生成し、該生成した擬似的なＩＰパケットデータをネットワークに送信することを特徴とするものである。
【００１８】
また、本発明にかかる接続制御装置において、擬似ＩＰ電話通信実行手段は、実際にＩＰ電話通信を行っているＩＰパケットデータを優先させながら、擬似的なＩＰパケットデータをネットワークに送信するように制御することを特徴とするものである。
【００１９】
また、本発明にかかる接続制御装置は、擬似的なＩＰ電話通信を行っている状態で、新たにＩＰ電話通信を実行したい追加端末装置のＩＰ電話接続が可能か否かを判断するＩＰ電話接続可否判断手段を有することを特徴とするものである。
【００２０】
また、本発明にかかる接続制御装置において、ＩＰ電話接続可否判断手段は、追加端末装置とＩＰ電話通信を行う相手端末装置が接続されている無線基地局とのネットワーク間で試験的なＩＰ電話通信を行い、その試験的なＩＰ電話通信を行った際に、ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とするものである。
【００２１】
また、本発明にかかる接続制御装置において、ＩＰ電話接続可否判断手段は、追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、追加端末装置のＩＰ電話通信の接続制御を管理する接続管理装置に送信し、接続管理装置が通信品質情報を基に追加端末装置のＩＰ電話通信の接続可否を判定した判定結果を受信し、該受信した判定結果を基に、ＩＰ電話接続が可能か否かを判断し、判定結果がＩＰ電話通信の接続可の判定結果の場合には、ＩＰ電話接続が可能と判断し、判定結果がＩＰ電話通信の接続不可の判定結果の場合には、ＩＰ電話接続が不可能と判断することを特徴とするものである。
【００２２】
また、本発明にかかる接続制御装置において、ＩＰ電話接続可否判断手段は、無線基地局とのネットワーク間で試験的なＩＰパケットデータを送受信し、試験的なＩＰ電話通信を行うことを特徴とするものである。
【００２３】
また、本発明にかかる接続制御装置において、ＩＰ電話接続可否判断手段は、実際にＩＰ電話通信を行っているＩＰパケットデータを優先させながら、試験的なＩＰパケットデータを送受信するように制御することを特徴とするものである。
【００２４】
また、本発明にかかる接続制御装置において、無音状態判断手段は、端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００２５】
また、本発明にかかる接続制御装置において、ＩＰパケットデータには、ＩＰ電話通信であるか否かを判断するための判断情報が含まれており、無音状態判断手段は、端末装置から送信されるＩＰパケットデータを解析し、ＩＰパケットデータの送信状況を調べ、判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００２６】
また、本発明にかかる接続制御装置において、ＩＰ電話接続可否判断手段は、追加端末装置からのＩＰ電話通信の接続要求を受信した際に、追加端末装置のＩＰ電話接続が可能か否かを判断することを特徴とするものである。
【００２７】
また、本発明にかかる接続制御装置において、ＩＰ電話接続可否判断手段は、追加端末装置のＩＰ電話通信の接続制御を管理する接続管理装置から送信される制御指示を受信した際に、追加端末装置のＩＰ電話接続が可能か否かを判断することを特徴とするものである。
【００２８】
また、本発明にかかるＩＰ電話通信システムは、複数の無線基地局と、無線基地局の配下に存在する端末装置と、を少なくとも有して構成されるＩＰ電話通信システムであって、無線基地局は、ＩＰ電話通信の回線を確立した端末装置の中で、ＩＰ電話通信を行っていない無音状態の端末装置が存在するか否かを判断する無音状態判断手段と、無音状態の端末装置が存在すると判断した場合に、その無音状態の端末装置がＩＰ電話通信を実行した状態に相当する擬似的なＩＰ電話通信を行う擬似ＩＰ電話通信実行手段と、を有することを特徴とするものである。
【００２９】
また、本発明にかかるＩＰ電話通信システムにおいて、無線基地局は、無音状態の端末装置がＩＰ電話通信を実行した状態に相当する擬似的なＩＰパケットデータを生成し、該生成した擬似的なＩＰパケットデータをネットワークに送信することを特徴とするものである。
【００３０】
また、本発明にかかるＩＰ電話通信システムにおいて、無線基地局は、実際にＩＰ電話通信を行っているＩＰパケットデータを優先させながら、擬似的なＩＰパケットデータをネットワークに送信するように制御することを特徴とするものである。
【００３１】
また、本発明にかかるＩＰ電話通信システムにおいて、無線基地局は、擬似的なＩＰ電話通信を行っている状態で、新たにＩＰ電話通信を実行したい追加端末装置のＩＰ電話接続が可能か否かを判断するＩＰ電話接続可否判断手段を有することを特徴とするものである。
【００３２】
また、本発明にかかるＩＰ電話通信システムにおいて、無線基地局は、追加端末装置とＩＰ電話通信を行う相手端末装置が接続されている他の無線基地局とのネットワーク間で試験的なＩＰ電話通信を行い、その試験的なＩＰ電話通信を行った際に、ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とするものである。
【００３３】
また、本発明にかかるＩＰ電話通信システムは、追加端末装置のＩＰ電話通信の接続制御を管理する接続管理装置を有し、無線基地局は、追加端末装置とＩＰ電話通信を行う相手端末装置が接続されている他の無線基地局とのネットワーク間で試験的なＩＰ電話通信を行い、その試験的なＩＰ電話通信を行った際の通信品質に関係する通信品質情報を収集し、該収集した通信品質情報を、接続管理装置に送信し、接続管理装置が通信品質情報を基に追加端末装置のＩＰ電話通信の接続可否を判定した判定結果を接続管理装置から受信し、該受信した判定結果を基に、ＩＰ電話接続が可能か否かを判断し、判定結果がＩＰ電話通信の接続可の判定結果の場合には、ＩＰ電話接続が可能と判断し、判定結果がＩＰ電話通信の接続不可の判定結果の場合には、ＩＰ電話接続が不可能と判断することを特徴とするものである。
【００３４】
また、本発明にかかるＩＰ電話通信システムにおいて、無線基地局は、他の無線基地局とのネットワーク間で試験的なＩＰパケットデータを送受信し、試験的なＩＰ電話通信を行うことを特徴とするものである。
【００３５】
また、本発明にかかるＩＰ電話通信システムにおいて、無線基地局は、実際にＩＰ電話通信を行っているＩＰパケットデータを優先させながら、試験的なＩＰパケットデータを送受信するように制御することを特徴とするものである。
【００３６】
また、本発明にかかるＩＰ電話通信システムにおいて、無線基地局は、端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００３７】
また、本発明にかかるＩＰ電話通信システムにおいて、ＩＰパケットデータには、ＩＰ電話通信であるか否かを判断するための判断情報が含まれており、無線基地局は、端末装置から送信されるＩＰパケットデータを解析し、ＩＰパケットデータの送信状況を調べ、判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００３８】
また、本発明にかかるＩＰ電話通信システムにおいて、無線基地局は、追加端末装置からのＩＰ電話通信の接続要求を受信した際に、追加端末装置のＩＰ電話接続が可能か否かを判断することを特徴とするものである。
【００３９】
また、本発明にかかるＩＰ電話通信システムにおいて、無線基地局は、追加端末装置のＩＰ電話通信の接続制御を管理する接続管理装置から送信される制御指示を受信した際に、追加端末装置のＩＰ電話接続が可能か否かを判断することを特徴とするものである。
【００４０】
また、本発明にかかるＩＰ電話通信システムは、ＩＰ電話通信を実行したい追加端末装置のＩＰ電話通信の接続制御を管理する接続管理装置を有し、接続管理装置は、無線基地局が擬似的なＩＰ電話通信を行っている状態で、追加端末装置と接続している無線基地局において、追加端末装置のＩＰ電話接続が可能か否かを判定するＩＰ電話接続可否判定手段を有することを特徴とするものである。
【００４１】
また、本発明にかかるＩＰ電話通信システムにおいて、接続管理装置は、追加端末装置と接続している第１の無線基地局と、追加端末装置とＩＰ電話通信を行う相手端末装置と接続している第２の無線基地局と、のネットワーク間で試験的なＩＰ電話通信を実行させ、ネットワーク間で試験的なＩＰ電話通信を実行させた際の通信品質に関係する通信品質情報を、第１の無線基地局と第２の無線基地局とから取得し、該取得した通信品質情報を基に、ＩＰ電話接続が可能か否かを判定することを特徴とするものである。
【００４２】
また、本発明にかかるＩＰ電話通信システムにおいて、接続管理装置は、試験的なＩＰ電話通信を実行させるための制御指示を、第１の無線基地局と第２の無線基地局とに送信し、第１の無線基地局と第２の無線基地局とは、制御指示を受信した際に、第１の無線基地局と、第２の無線基地局と、のネットワーク間で試験的なＩＰパケットデータを送受信し、試験的なＩＰ電話通信を実行することを特徴とするものである。
【００４３】
また、本発明にかかるＩＰ電話通信システムにおいて、接続管理装置は、通信品質情報が所定の通信品質未満か否かを判断し、所定の通信品質以上と判断した場合に、ＩＰ電話接続が可能と判定し、所定の通信品質未満と判断した場合に、ＩＰ電話接続が不可能と判定することを特徴とするものである。
【００４４】
また、本発明にかかるＩＰ電話通信システムにおいて、第１の無線基地局と第２の無線基地局とは、実際にＩＰ電話通信を行っているＩＰパケットデータを優先させながら、試験的なＩＰパケットデータを送受信するように制御することを特徴とするものである。
【００４５】
また、本発明にかかる接続制御方法は、ＩＰ電話通信の接続可否を判断する接続制御装置が行う接続制御方法であって、接続制御装置とＩＰ電話通信の回線を確立した端末装置の中で、ＩＰ電話通信を行っていない無音状態の端末装置が存在するか否かを判断する無音状態判断工程と、無音状態の端末装置が存在すると判断した場合に、その無音状態の端末装置がＩＰ電話通信を実行した状態に相当する擬似的なＩＰ電話通信を行う擬似ＩＰ電話通信実行工程と、を、接続制御装置が行うことを特徴とするものである。
【００４６】
また、本発明にかかる接続制御方法において、擬似ＩＰ電話通信実行工程は、無音状態の端末装置がＩＰ電話通信を実行した状態に相当する擬似的なＩＰパケットデータを生成し、該生成した擬似的なＩＰパケットデータをネットワークに送信することを特徴とするものである。
【００４７】
また、本発明にかかる接続制御方法において、擬似ＩＰ電話通信実行工程は、実際にＩＰ電話通信を行っているＩＰパケットデータを優先させながら、擬似的なＩＰパケットデータをネットワークに送信するように制御することを特徴とするものである。
【００４８】
また、本発明にかかる接続制御方法は、擬似的なＩＰ電話通信を行っている状態で、新たにＩＰ電話通信を実行したい追加端末装置のＩＰ電話接続が可能か否かを判断するＩＰ電話接続可否判断工程を、接続制御装置が行うことを特徴とするものである。
【００４９】
また、本発明にかかる接続制御方法において、ＩＰ電話接続可否判断工程は、追加端末装置とＩＰ電話通信を行う相手端末装置が接続されている無線基地局とのネットワーク間で試験的なＩＰ電話通信を行い、その試験的なＩＰ電話通信を行った際に、ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とするものである。
【００５０】
また、本発明にかかる接続制御方法において、ＩＰ電話接続可否判断工程は、追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、追加端末装置のＩＰ電話通信の接続制御を管理する接続管理装置に送信し、接続管理装置が通信品質情報を基に追加端末装置のＩＰ電話通信の接続可否を判定した判定結果を受信し、該受信した判定結果を基に、ＩＰ電話接続が可能か否かを判断し、判定結果がＩＰ電話通信の接続可の判定結果の場合には、ＩＰ電話接続が可能と判断し、判定結果がＩＰ電話通信の接続不可の判定結果の場合には、ＩＰ電話接続が不可能と判断することを特徴とするものである。
【００５１】
また、本発明にかかる接続制御方法において、ＩＰ電話接続可否判断工程は、無線基地局とのネットワーク間で試験的なＩＰパケットデータを送受信し、試験的なＩＰ電話通信を行うことを特徴とするものである。
【００５２】
また、本発明にかかる接続制御方法において、ＩＰ電話接続可否判断工程は、実際にＩＰ電話通信を行っているＩＰパケットデータを優先させながら、試験的なＩＰパケットデータを送受信するように制御することを特徴とするものである。
【００５３】
また、本発明にかかる接続制御方法において、無音状態判断工程は、端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００５４】
また、本発明にかかる接続制御方法において、ＩＰパケットデータには、ＩＰ電話通信であるか否かを判断するための判断情報が含まれており、無音状態判断工程は、端末装置から送信されるＩＰパケットデータを解析し、ＩＰパケットデータの送信状況を調べ、判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００５５】
また、本発明にかかる接続制御方法において、ＩＰ電話接続可否判断工程は、追加端末装置からのＩＰ電話通信の接続要求を受信した際に、追加端末装置のＩＰ電話接続が可能か否かを判断することを特徴とするものである。
【００５６】
また、本発明にかかる接続制御方法において、ＩＰ電話接続可否判断工程は、追加端末装置のＩＰ電話通信の接続制御を管理する接続管理装置から送信される制御指示を受信した際に、追加端末装置のＩＰ電話接続が可能か否かを判断することを特徴とするものである。
【００５７】
また、本発明にかかる接続制御プログラムは、ＩＰ電話通信の接続可否を判断する接続制御装置において実行させる接続制御プログラムであって、接続制御装置とＩＰ電話通信の回線を確立した端末装置の中で、ＩＰ電話通信を行っていない無音状態の端末装置が存在するか否かを判断する無音状態判断処理と、無音状態の端末装置が存在すると判断した場合に、その無音状態の端末装置がＩＰ電話通信を実行した状態に相当する擬似的なＩＰ電話通信を行う擬似ＩＰ電話通信実行処理と、を、接続制御装置に実行させることを特徴とするものである。
【００５８】
また、本発明にかかる接続制御プログラムにおいて、擬似ＩＰ電話通信実行処理は、無音状態の端末装置がＩＰ電話通信を実行した状態に相当する擬似的なＩＰパケットデータを生成し、該生成した擬似的なＩＰパケットデータをネットワークに送信することを特徴とするものである。
【００５９】
また、本発明にかかる接続制御プログラムにおいて、擬似ＩＰ電話通信実行処理は、実際にＩＰ電話通信を行っているＩＰパケットデータを優先させながら、擬似的なＩＰパケットデータをネットワークに送信するように制御することを特徴とするものである。
【００６０】
また、本発明にかかる接続制御プログラムは、擬似的なＩＰ電話通信を行っている状態で、新たにＩＰ電話通信を実行したい追加端末装置のＩＰ電話接続が可能か否かを判断するＩＰ電話接続可否判断処理を、接続制御装置に実行させることを特徴とするものである。
【００６１】
また、本発明にかかる接続制御プログラムにおいて、ＩＰ電話接続可否判断処理は、追加端末装置とＩＰ電話通信を行う相手端末装置が接続されている無線基地局とのネットワーク間で試験的なＩＰ電話通信を行い、その試験的なＩＰ電話通信を行った際に、ネットワーク間で一定の帯域を確保することが可能か否かを判断し、一定の帯域を確保することが可能と判断した場合に、ＩＰ電話接続が可能と判断し、一定の帯域を確保することが不可能と判断した場合に、ＩＰ電話接続が不可能と判断することを特徴とするものである。
【００６２】
また、本発明にかかる接続制御プログラムにおいて、ＩＰ電話接続可否判断処理は、追加端末装置とＩＰ電話通信を行う相手端末装置が接続されている無線基地局とのネットワーク間で試験的なＩＰ電話通信を行い、その試験的なＩＰ電話通信を行った際の通信品質に関係する通信品質情報を収集し、該収集した通信品質情報を、追加端末装置のＩＰ電話通信の接続制御を管理する接続管理装置に送信し、接続管理装置が通信品質情報を基に追加端末装置のＩＰ電話通信の接続可否を判定した判定結果を受信し、該受信した判定結果を基に、ＩＰ電話接続が可能か否かを判断し、判定結果がＩＰ電話通信の接続可の判定結果の場合には、ＩＰ電話接続が可能と判断し、判定結果がＩＰ電話通信の接続不可の判定結果の場合には、ＩＰ電話接続が不可能と判断することを特徴とするものである。
【００６３】
また、本発明にかかる接続制御プログラムにおいて、ＩＰ電話接続可否判断処理は、無線基地局とのネットワーク間で試験的なＩＰパケットデータを送受信し、試験的なＩＰ電話通信を行うことを特徴とするものである。
【００６４】
また、本発明にかかる接続制御プログラムにおいて、ＩＰ電話接続可否判断処理は、実際にＩＰ電話通信を行っているＩＰパケットデータを優先させながら、試験的なＩＰパケットデータを送受信するように制御することを特徴とするものである。
【００６５】
また、本発明にかかる接続制御プログラムにおいて、無音状態判断処理は、端末装置から送信されるＩＰパケットデータを解析し、ＩＰパケットデータの送信状況を調べ、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００６６】
また、本発明にかかる接続制御プログラムにおいて、ＩＰパケットデータには、ＩＰ電話通信であるか否かを判断するための判断情報が含まれており、無音状態判断処理は、端末装置から送信されるＩＰパケットデータを解析し、ＩＰパケットデータの送信状況を調べ、判断情報を基に、ＩＰ電話通信のＩＰパケットデータを送信しているか否かを判断し、ＩＰ電話通信のＩＰパケットデータを送信していないと判断した場合に、無音状態の端末装置が存在すると判断することを特徴とするものである。
【００６７】
また、本発明にかかる接続制御プログラムにおいて、ＩＰ電話接続可否判断処理は、追加端末装置からのＩＰ電話通信の接続要求を受信した際に、追加端末装置のＩＰ電話接続が可能か否かを判断することを特徴とするものである。
【００６８】
また、本発明にかかる接続制御プログラムにおいて、ＩＰ電話接続可否判断処理は、追加端末装置のＩＰ電話通信の接続制御を管理する接続管理装置から送信される制御指示を受信した際に、追加端末装置のＩＰ電話接続が可能か否かを判断することを特徴とするものである。
【発明の効果】
【００６９】
本発明は、ＩＰ電話通信の回線を確立した端末装置の中で、ＩＰ電話通信を行っていない無音状態の端末装置が存在するか否かを判断し、無音状態の端末装置が存在すると判断した場合に、その無音状態の端末装置がＩＰ電話通信を実行した状態に相当する擬似的なＩＰ電話通信を行うことを特徴とするものである。これにより、ＩＰ電話通信の回線を確立した全ての端末装置がＩＰ電話通信を実行している状態にすることが可能となるため、ＩＰ電話通信の回線を確立した端末装置の中で、ＩＰ電話通信のデータ通信を行っていない無音状態の端末装置が存在する状況下でも、信頼性の高いＩＰ電話通信の接続可否の制御を行うことが可能となる。
【発明を実施するための最良の形態】
【００７０】
まず、図１を参照しながら、本実施形態におけるＩＰ電話通信システムの特徴について説明する。
【００７１】
本実施形態におけるＩＰ電話通信システムは、複数の無線基地局（ＡＰ１〜Ｎ：Ｎは、任意の整数）と、各無線基地局（ＡＰ１〜Ｎ）の配下に存在する複数の端末装置（ＳＴＡ１〜Ｎ）と、を少なくとも有して構成されるＩＰ電話通信システムである。
【００７２】
なお、本実施形態における各無線基地局（ＡＰ１〜Ｎ）は、ＩＰ電話通信の回線を確立した端末装置（ＳＴＡ１〜Ｎ）の中で、ＩＰ電話通信を行っていない無音状態の端末装置（ＳＴＡＮ）が存在するか否かを判断し、無音状態の端末装置（ＳＴＡＮ）が存在すると判断した場合に、その無音状態の端末装置（ＳＴＡＮ）がＩＰ電話通信を実行した状態に相当する擬似的なＩＰ電話通信を行うことを特徴とするものである。これにより、無線基地局（ＡＰ１〜Ｎ）とＩＰ電話通信の回線を確立した全ての端末装置（ＳＴＡ１〜Ｎ）が仮想的なＩＰ電話通信を実行している状態にすることが可能となるため、無線基地局（ＡＰ１〜Ｎ）とＩＰ電話通信の回線を確立した端末装置（ＳＴＡ１〜Ｎ）の中で、ＩＰ電話通信のデータ通信を行っていない無音状態の端末装置（ＳＴＡＮ）が存在する状況下でも、信頼性の高いＩＰ電話通信の接続可否の判定を行うことが可能となる。以下、添付図面を参照しながら、本実施形態におけるＩＰ電話通信システムについて詳細に説明する。
【００７３】
（第１の実施形態）
まず、図１を参照しながら、本実施形態におけるＩＰ電話通信システムのシステム構成について説明する。
【００７４】
本実施形態におけるＩＰ電話通信システムは、図１に示すように、複数の無線基地局（ＡＰ１〜Ｎ：Ｎは、任意の整数）と、各無線基地局（ＡＰ１〜Ｎ）の配下に存在する複数の端末装置（ＳＴＡ１〜Ｎ）と、を有して構成される。なお、複数の無線基地局（ＡＰ１〜Ｎ）は、ネットワーク（ＮＷ）に接続して構成される。また、本実施形態における端末装置（ＳＴＡ１〜Ｎ）は、携帯電話機、ＰＤＡ（Personal Digital Assistance）、ＰＣ（Personal Computer）などの無線通信が可能な通信装置が適用可能である。
【００７５】
＜無線基地局ＡＰ１〜Ｎ＞
無線基地局（ＡＰ１〜Ｎ）は、その無線基地局（ＡＰ１〜Ｎ）の配下に存在する複数の端末装置（ＳＴＡ１〜Ｎ）との間でＩＰ電話通信の回線を確立し、ＩＰ電話通信のデータ通信を行ったり、他の無線基地局との間で情報の送受信を行ったりするものである。以下、図２を参照しながら、無線基地局（ＡＰ１〜Ｎ）の内部構成について説明する。
【００７６】
無線基地局（ＡＰ１〜Ｎ）は、図２に示すように、通信部（２０１）と、制御部（２０２）と、記憶部（２０３）と、アンテナ（２０４）と、を有して構成される。
【００７７】
通信部（２０１）は、アンテナ（２０４）を介して端末装置（ＳＴＡ１〜Ｎ）との間でＩＰ電話通信の回線を確立し、任意の周波数でデータ通信を行う。また、通信部（２０１）は、他の無線基地局との間で情報の送受信を行う。
【００７８】
制御部（２０２）は、無線基地局内を統括して制御するものである。記憶部（２０３）は、無線基地局の各種設定値を記憶したり、通信部（２０１）を介して送受信される情報を一時的に蓄積したりするものである。なお、記憶部（２０３）に記憶される各種設定値とは、無線基地局において確保することが可能な最大帯域状態、無線チャネル、サービス識別子（ＳＳＩＤ:Service Set IDentifier）等が挙げられる。
【００７９】
（本実施形態のＩＰ電話通信システムにおける一連の処理動作）
次に、図３を参照しながら、本実施形態のＩＰ電話通信システムにおける一連の処理動作について説明する。
【００８０】
まず、本実施形態における各無線基地局（ＡＰ１〜Ｎ）は、ＩＰ電話通信の回線を確立している全ての端末装置（ＳＴＡ１〜Ｎ）がＩＰ電話通信のデータ通信を行っている状態にするための制御動作（擬似ＩＰ電話通信）を行うことになる。以下、図３を参照しながら、ＩＰ電話通信の回線を確立している全ての端末装置（ＳＴＡ１〜Ｎ）がＩＰ電話通信のデータ通信を行っている状態にするための制御動作について説明する。
【００８１】
まず、無線基地局（ＡＰ１〜Ｎ）は、ＩＰ電話通信の回線を確立している端末装置（ＳＴＡ１〜Ｎ）の中で、無音状態の端末装置（ＳＴＡＮ）が存在するか否かを判断する（ステップＳ１）。
【００８２】
無線基地局（ＡＰ１〜Ｎ）は、無音状態の端末装置（ＳＴＡＮ）が存在しないと判断した場合には（ステップＳ１／Ｎｏ）、処理を終了することになる（Ｅｎｄ）。また、無線基地局（ＡＰ１〜Ｎ）は、無音状態の端末装置（ＳＴＡＮ）が存在すると判断した場合には（ステップＳ１／Ｙｅｓ）、無線基地局（ＡＰ１〜Ｎ）は、その無音状態の端末装置（ＳＴＡＮ）がＩＰ電話通信を実行した状態に相当する擬似的なＩＰパケットデータを生成する（ステップＳ２）。そして、無線基地局（ＡＰ１〜Ｎ）は、擬似的なＩＰパケットデータをアップリンク側のネットワーク（ＮＷ）に対して送信することになる。これにより、無線基地局（ＡＰ１〜Ｎ）とＩＰ電話通信の回線を確立している全ての端末装置（ＳＴＡ１〜Ｎ）が仮想的なＩＰ電話通信のデータ通信を実行している状態にすることが可能となる。
【００８３】
なお、無線基地局（ＡＰ１〜Ｎ）とＩＰ電話通信の回線を確立している端末装置（ＳＴＡ１〜Ｎ）の中で、無音状態の端末装置（ＳＴＡＮ）が存在するか否かを判断するための判断方法としては、以下の第１の判断方法が挙げられる。
【００８４】
（第１の判断方法）
まず、ＩＰ電話通信の回線を確立している端末装置（ＳＴＡ１〜Ｎ）から送信されるＳＩＰ（Session Initiation protocol）やＲＴＰ（Real-time Transport Protocol）等の通信プロトコルのＩＰパケットデータを無線基地局（ＡＰ１〜Ｎ）において解析し、その解析したＩＰパケットデータの送信状況を調べ、ＩＰ電話通信のＩＰパケットデータを送信している端末装置か否かを判断し、ＩＰ電話通信のＩＰパケットデータを送信している端末装置でないと判断した場合には、無音状態の端末装置（ＳＴＡＮ）が存在すると判断することになる。
【００８５】
なお、上述した第１の判断方法は、ＩＰパケットデータが暗号化されていない場合に適用可能であり、ＩＰパケットデータが暗号化されている場合には、以下の第２の判断方法が適用可能である。
【００８６】
（第２の判断方法）
まず、ＩＰヘッダのＴＯＳフィールドに対し、ＩＰ電話通信であるか否かを判断するための判断情報を設定したＩＰパケットデータを端末装置（ＳＴＡ１〜Ｎ）において生成し、その生成したＩＰパケットデータを無線基地局（ＡＰ１〜Ｎ）に送信する。無線基地局（ＡＰ１〜Ｎ）は、端末装置（ＳＴＡ１〜Ｎ）から送信されたＩＰパケットデータのＴＯＳフィールドを解析し、その解析したＩＰパケットデータの送信状況を調べ、ＩＰ電話通信のＩＰパケットデータを送信している端末装置か否かを判断し、ＩＰ電話通信のＩＰパケットデータを送信している端末装置でないと判断した場合には、無音状態の端末装置（ＳＴＡＮ）が存在すると判断することになる。
【００８７】
なお、各無線基地局（ＡＰ１〜Ｎ）は、図３に示す制御動作を行い、無線基地局（ＡＰ１〜Ｎ）とＩＰ電話通信の回線を確立している全ての端末装置（ＳＴＡ１〜Ｎ）が仮想的なＩＰ電話通信のデータ通信を実行している状態にする。これにより、ネットワーク（ＮＷ）に接続されている各無線基地局（ＡＰ１〜Ｎ）は、その無線基地局（ＡＰ１〜Ｎ）とＩＰ電話通信の回線を確立している全ての端末装置（ＳＴＡ１〜Ｎ）が仮想的なＩＰ電話通信のデータ通信を実行している状態を構築することが可能となり、ネットワーク（ＮＷ）を最大帯域状態にすることが可能となる。なお、最大帯域状態とは、ネットワーク（ＮＷ）に接続されている全ての無線基地局（ＡＰ１〜Ｎ）が図３に示す制御動作を行った状態時の帯域状態をいう。
【００８８】
この最大帯域状態時において、例えば、図４に示すように、第１の無線基地局（ＡＰ１）が、ＩＰ電話通信の回線を確立していない追加端末装置（ＳＴＡ）からのＩＰ電話通信の接続要求を受信した際に（ステップＳ１１）、第１の無線基地局（ＡＰ１）は、ＩＰ電話通信の接続相手先の相手端末装置（ＳＴＡ）と接続している第２の無線基地局（ＡＰ２）に対し、追加端末装置（ＳＴＡ）と相手端末装置（ＳＴＡ）との間でＩＰ電話通信を行うために必要な試験的なＩＰパケットデータを送信し（ステップＳ１２）、第１の無線基地局（ＡＰ１）は、試験的なＩＰパケットデータを送信した際の情報を基に、第１の無線基地局（ＡＰ１）と第２の無線基地局（ＡＰ２）とのネットワーク（ＮＷ）間において一定の帯域を確保することが可能か否かを判断し、一定の帯域を確保することが可能と判断した場合に、第１の無線基地局（ＡＰ１）は、追加端末装置（ＳＴＡ）からのＩＰ電話通信の接続要求を容認し（ステップＳ１３）、第１の無線基地局（ＡＰ１）は、追加端末装置（ＳＴＡ）とのＩＰ電話通信の接続を行うことになる。
【００８９】
また、第１の無線基地局（ＡＰ１）は、ネットワーク（ＮＷ）間において一定の帯域を確保することが不可能と判断した場合には、追加端末装置（ＳＴＡ）からのＩＰ電話通信の接続要求を拒否することになる（ステップＳ１３）。
【００９０】
このように、各無線基地局（ＡＰ１〜Ｎ）が、図３に示す制御動作を行い、各無線基地局（ＡＰ１〜Ｎ）が接続しているネットワーク（ＮＷ）を最大帯域状態にすることで、例えば、追加端末装置（ＳＴＡ）からのＩＰ電話通信の接続要求を第１の無線基地局（ＡＰ１）が受信した際に、ネットワーク（ＮＷ）間において一定の帯域を確保することが可能と第１の無線基地局（ＡＰ１）が判断し、追加端末装置（ＳＴＡ）からのＩＰ電話通信の接続要求を第１の無線基地局（ＡＰ１）が容認した後に、ＩＰ電話通信のデータ通信を行っていなかった無音状態の端末装置（ＳＴＡＮ）が、ＩＰ電話通信のデータ通信を行った場合でも、ネットワーク（ＮＷ）間において一定の帯域を確保することができない状態が発生することがないため、ＩＰ電話通信の接続を容認した全ての端末装置に対し、常に一定のサービス品質を保証することが可能となる。
【００９１】
なお、ネットワーク（ＮＷ）間において一定の帯域を確保することが可能か否かを判断する際の判断方法は、特に限定するものではなく、最大帯域状態時のネットワーク（ＮＷ）に対し、試験的なＩＰパケットデータを送信した際の情報を基に、ネットワーク（ＮＷ）間において一定の帯域を確保することが可能か否かを判断することが可能であればあらゆる判断方法を適用することは可能である。
【００９２】
また、上述したＩＰ電話通信システムにおいて、擬似的なＩＰ電話通信を行う際に使用するＩＰパケットデータや、試験的なＩＰ電話通信を行う際に使用するＩＰパケットデータを、実際にＩＰ電話通信を行っているＩＰパケットデータよりも低い優先度でネットワーク（ＮＷ）に送信するように制御することが好ましい。これにより、擬似的なＩＰ電話通信や、試験的なＩＰ電話通信を行った場合でも、ネットワーク（ＮＷ）に対する負荷を軽減することが可能となる。また、ネットワーク（ＮＷ）内で実際にＩＰ電話通信のデータ通信を行っているＩＰパケットデータを優先的に送信することが可能となるため、実際にＩＰ電話通信を行っているＩＰパケットデータのデータ通信に対する影響を軽減することが可能となる。また、追加端末装置（ＳＴＡ）のＩＰ電話通信の接続可否の試験がより厳しい環境下で行われることになるため、ＩＰ電話通信の接続可否の判定結果を更に信頼性の高い判定結果にすることが可能となる。
【００９３】
なお、擬似的なＩＰ電話通信を行う際に使用するＩＰパケットデータや、試験的なＩＰ電話通信を行う際に使用するＩＰパケットデータを、実際にＩＰ電話通信を行っているＩＰパケットデータよりも低い優先度でネットワーク（ＮＷ）に送信するように制御する制御方法としては、例えば、優先度を示す優先情報を含むＩＰパケットデータをネットワーク（ＮＷ）に送信する方法が挙げられる。
【００９４】
（第２の実施形態）
次に、第２の実施形態について説明する。
【００９５】
第２の実施形態におけるＩＰ電話通信システムは、図５に示すように無線ＬＡＮメッシュネットワーク（ＮＷ）を構成するＩＰ電話通信システムにおいて、各メッシュ基地局（Ａ〜Ｆ）及びメッシュポータル（１０）が、図３に示す制御動作を行い、メッシュ基地局（Ａ〜Ｆ）またはメッシュポータル（１０）とＩＰ電話通信の回線を確立している全ての端末装置（ＳＴＡ１〜Ｎ）が仮想的なＩＰ電話通信を実行している状態にし、その状態で、ＩＰ電話通信の回線を確立していない追加端末装置（ＳＴＡ）からのＩＰ電話通信の接続要求が行われた際に、その追加端末装置（ＳＴＡ）と接続しているメッシュ基地局（Ｆ）と、その追加端末装置（ＳＴＡ）とＩＰ電話通信を行うことになる相手端末装置（ＳＴＡ）と接続しているメッシュポータル（１０）と、の間で試験的なＩＰ電話通信を行い、追加端末装置（ＳＴＡ）のＩＰ電話通信の接続可否を判断することを特徴とするものである。以下、図５〜図１０を参照しながら、第２の実施形態のＩＰ電話通信システムについて詳細に説明する。
【００９６】
まず、図５を参照しながら、第２の実施形態におけるＩＰ電話通信システムのシステム構成について説明する。
【００９７】
第２の実施形態におけるＩＰ電話通信システムは、メッシュ接続管理装置（１）と、メッシュポータル（１０）と、複数のメッシュ基地局（Ａ〜Ｆ）と、複数の端末装置（ＳＴＡ１〜Ｎ）と、を有して構成される。
【００９８】
なお、第２の実施形態におけるＩＰ電話通信システムは、メッシュポータル（１０）と、複数のメッシュ基地局（Ａ〜Ｆ）と、複数の端末装置（ＳＴＡ１〜Ｎ）と、で無線ＬＡＮメッシュネットワーク（ＮＷ）を構成することになる。また、無線ＬＡＮメッシュネットワーク（ＮＷ）は、端末装置（ＳＴＡ１〜Ｎ）とメッシュ基地局（Ａ〜Ｆ）との間の無線ネットワークと、メッシュ基地局（Ａ〜Ｆ）間またはメッシュ基地局（Ａ，Ｂ）とメッシュポータル（１０）との間の中継ネットワークと、で異なる無線チャネルを使用し、無線ネットワークと、中継ネットワークと、で電波干渉が発生しないように構築することが好ましい。
【００９９】
また、本実施形態における無線ＬＡＮメッシュネットワーク（ＮＷ）は、ＩＥＥＥ８０２．１１ｓでの機能要素の定義に従うものとする。また、無線リンクによるメッシュ（網の目）状の中継ネットワークを構築するための機能要素をメッシュポイントと称し、メッシュポイントの中で無線基地局の機能を提供するメッシュポイントをメッシュ基地局（Ａ〜Ｆ）と称し、イーサネット（登録商標）等の外部ネットワークとのゲートウェイ機能を提供するメッシュポイントをメッシュポータル（１０）と称す。なお、メッシュポータル（１０）は、メッシュ基地局（Ａ〜Ｆ）と同様の機能を兼ね備えることも可能である。
【０１００】
＜メッシュ接続管理装置１＞
まず、図６を参照しながら、メッシュ接続管理装置（１）の内部構成について説明する。
【０１０１】
メッシュ接続管理装置（１）は、無線ＬＡＮメッシュネットワーク（ＮＷ）を構成するメッシュ基地局（Ａ〜Ｆ）と、メッシュポータル（１０）と、を管理する情報処理装置であり、メッシュ接続管理装置（１）は、図６に示すように、通信部（３０１）と、制御部（３０２）と、接続管理部（３０３）と、を有して構成される。
【０１０２】
通信部（３０１）は、各メッシュ基地局（Ａ〜Ｆ）またはメッシュポータル（１０）との間で情報の送受信を行う。なお、通信部（３０１）が、各メッシュ基地局（Ａ〜Ｆ）またはメッシュポータル（１０）との間で情報の送受信を行う際の通信形態は、特に限定するものではなく、各メッシュ基地局（Ａ〜Ｆ）またはメッシュポータル（１０）との間で情報の送受信を行うことが可能であれば、有線、無線などのあらゆる通信形態を適用することは可能である。
【０１０３】
制御部（３０２）は、メッシュ接続管理装置（１）内を統括して制御するものであり、新たにＩＰ電話通信を実行したい追加端末装置（ＳＴＡ）のＩＰ電話通信の接続判定要求をメッシュ基地局（Ａ〜Ｆ）あるいはメッシュポータル（１０）から受け付けた際に、そのＩＰ電話通信の接続判定要求を受け付けたメッシュ基地局（Ａ〜Ｆ）あるいはメッシュポータル（１０）と、追加端末装置（ＳＴＡ）とＩＰ電話通信を行う相手端末装置（ＳＴＡ）と接続しているメッシュ基地局（Ａ〜Ｆ）あるいはメッシュポータル（１０）と、の間で試験的なＩＰ電話通信を実行するように制御指示を行い、メッシュ基地局（Ａ〜Ｆ）あるいはメッシュポータル（１０）が試験的なＩＰ電話通信を行った際の通信品質情報を取得し、その取得した通信品質情報を基に、ＩＰ電話通信の接続可否の判定を行うことになる。接続管理部（３０３）は、無線ＬＡＮメッシュネットワーク（ＮＷ）を構成するメッシュ基地局（Ａ〜Ｆ）またはメッシュポータル（１０）と接続している端末装置（ＳＴＡ１〜Ｎ）の接続情報を管理するものである。これにより、制御部（３０２）は、接続管理部（３０３）にて管理する接続情報を基に、無線ＬＡＮメッシュネットワーク（ＮＷ）を構成するメッシュ基地局（Ａ〜Ｆ）またはメッシュポータル（１０）と接続している端末装置（ＳＴＡ１〜Ｎ）を把握することが可能となる。
【０１０４】
＜メッシュ基地局Ａ〜Ｆ＞
次に、図７を参照しながら、本実施形態のメッシュ基地局（Ａ〜Ｆ）の内部構成について説明する。
【０１０５】
本実施形態のメッシュ基地局（Ａ〜Ｆ）は、図７に示すように、メッシュポイント制御部（４１０）と、アクセス・ポイント制御部（４２０）と、を有して構成される。なお、メッシュポイント制御部（４１０）は、メッシュ接続管理装置（１）とメッシュポータル（１０）と他メッシュ基地局（Ａ〜Ｆ）との間の通信制御を行うものであり、アクセス・ポイント制御部（４２０）は、メッシュ基地局（Ａ〜Ｆ）と無線回線を確立している端末装置（ＳＴＡ１〜Ｎ）との間の通信制御を行うものである。なお、メッシュポイント制御部（４１０）は、試験ＩＰ電話制御部（４１１）と、擬似ＩＰ電話制御部（４１２）と、を有して構成される。
【０１０６】
試験ＩＰ電話制御部（４１１）は、ダミーのＩＰパケットデータによる試験的なＩＰ電話通信を実行するものであり、ＩＰ電話通信の回線を確立していない追加端末装置（ＳＴＡ）からのＩＰ電話通信の接続要求があった場合に、メッシュ接続管理装置（１）に対し、ＩＰ電話通信の接続判定要求を行う。そして、メッシュ接続管理装置（１）からの制御指示により、追加端末装置（ＳＴＡ）とＩＰ電話通信を行うことになる相手端末装置（ＳＴＡ）と接続しているメッシュ基地局（Ａ〜Ｆ）またはメッシュポータル（１０）との間でダミーのＩＰパケットデータを送受信し、試験的なＩＰ電話通信を実行し、その試験的なＩＰ電話通信を実行した際の遅延、揺らぎ、パケット損失などのＩＰ電話通信時の品質評価を行う際に必要な通信品質情報を収集する。そして、試験ＩＰ電話制御部（４１１）は、その収集した通信品質情報をメッシュ接続管理装置（１）に送信する。
【０１０７】
擬似ＩＰ電話制御部（４１２）は、試験ＩＰ電話制御部（４１１）と同様に、ダミーのＩＰパケットデータによる擬似的なＩＰ電話通信を実行するものであり、上述した図３に示す制御動作と同様な制御を行うことになる。このため、擬似ＩＰ電話制御部（４１２）は、メッシュ基地局（Ａ〜Ｆ）とＩＰ電話通信の回線を確立している端末装置（ＳＴＡ１〜Ｎ）の中で、無音状態の端末装置（ＳＴＡＮ）が存在するか否かを判断し、無音状態の端末装置（ＳＴＡＮ）が存在すると判断した場合には、その無音状態の端末装置（ＳＴＡＮ）がＩＰ電話通信を実行した状態に相当する擬似的なＩＰパケットデータを生成する。そして、その生成した擬似的なＩＰパケットデータを無線ＬＡＮメッシュネットワーク（ＮＷ）に送信することになる。これにより、メッシュ基地局（Ａ〜Ｆ）とＩＰ電話通信の回線を確立している全ての端末装置（ＳＴＡ１〜Ｎ）が仮想的なＩＰ電話通信を実行している状態にすることが可能となる。
【０１０８】
＜メッシュポータル１０＞
次に、図８を参照しながら、メッシュポータル（１０）の内部構成について説明する。
【０１０９】
本実施形態のメッシュポータル（１０）は、図８に示すように、メッシュポイント制御部（５１０）と、外部ネットワーク制御部（５２０）と、を有して構成される。なお、メッシュポイント制御部（５１０）は、メッシュ基地局（Ａ〜Ｆ）、または、メッシュ接続管理装置（１）との間の通信制御を行うものである。また、外部ネットワーク制御部（５２０）は、外部ネットワークに接続している端末装置（ＳＴＡ）と、無線ＬＡＮメッシュネットワーク（ＮＷ）内のメッシュ基地局（Ａ〜Ｆ）に接続している端末装置（ＳＴＡ１〜Ｎ）と、の接続制御を行うものである。なお、メッシュポイント制御部（５１０）は、試験ＩＰ電話制御部（５１１）と、擬似ＩＰ電話制御部（５１２）と、を有して構成される。
【０１１０】
なお、試験ＩＰ電話制御部（５１１）は、上述した図７に示すメッシュ基地局（Ａ〜Ｆ）の試験ＩＰ電話制御部（４１１）と同様な制御を行うことになる。
【０１１１】
また、擬似ＩＰ電話制御部（５１２）は、上述した図７に示すメッシュ基地局（Ａ〜Ｆ）の擬似ＩＰ電話制御部（４１２）の制御に加え、外部ネットワークに接続している端末装置（ＳＴＡ）がＩＰ電話通信のデータ通信を行っていない場合に、そのＩＰ電話通信のデータ通信を行っていない端末装置がＩＰ電話通信を実行している状態に相当する擬似的なＩＰ電話通信を実行することになる。
【０１１２】
（本実施形態の接続制御システムにおける処理動作）
次に、図９、図１０を参照しながら、本実施形態のＩＰ電話通信システムにおける一連の処理動作について説明する。
【０１１３】
なお、以下の処理動作は、図５、図９に示すように、無線ＬＡＮメッシュネットワーク（ＮＷ）内に存在するメッシュ基地局（Ａ〜Ｆ）とＩＰ電話通信の回線を確立していない追加端末装置（ＳＴＡ）が、外部ネットワークに接続している相手端末装置（ＳＴＡ）との間でＩＰ電話通信を行うためのＩＰ電話通信の接続要求を、メッシュ基地局（Ｆ）に送信した場合の処理動作について説明する。
【０１１４】
まず、無線ＬＡＮメッシュネットワーク（ＮＷ）を構成する各メッシュ基地局（Ａ〜Ｆ）及びメッシュポータル（１０）は、図３に示す制御動作と同様な制御動作を行い、各メッシュ基地局（Ａ〜Ｆ）またはメッシュポータル（１０）とＩＰ電話通信の回線を確立している全ての端末装置（ＳＴＡ１〜Ｎ）が仮想的なＩＰ電話通信のデータ通信を行っている状態にする。
【０１１５】
これにより、無線ＬＡＮメッシュネットワーク（ＮＷ）を構成するメッシュ基地局（Ａ〜Ｆ）またはメッシュポータル（１０）とＩＰ電話通信の回線を確立している全ての端末装置（ＳＴＡ１〜Ｎ）が仮想的なＩＰ電話通信のデータ通信を行っている状態にし、無線ＬＡＮメッシュネットワーク（ＮＷ）を最大帯域状態にすることが可能となる。
【０１１６】
なお、最大帯域状態とは、無線ＬＡＮメッシュネットワーク（ＮＷ）を構成する全てのメッシュ基地局（Ａ〜Ｆ）及びメッシュポータル（１０）が図３に示す制御動作と同様な制御を行った状態時の帯域状態をいう。
【０１１７】
次に、無線ＬＡＮメッシュネットワーク（ＮＷ）を最大帯域状態にした状態で、ＩＰ電話通信の回線を確立していない追加端末装置（ＳＴＡ）が、外部ネットワークに接続されている相手端末装置（ＳＴＡ）とのＩＰ電話通信を行うためのＩＰ電話通信の接続要求をメッシュ基地局（Ｆ）に送信する（ステップＳ２１）。
【０１１８】
メッシュ基地局（Ｆ）は、追加端末装置（ＳＴＡ）からＩＰ電話通信の接続要求を受信すると、そのＩＰ電話通信の接続要求に対するＩＰ電話通信の接続判定要求をメッシュ接続管理装置（１）に送信する（ステップＳ２２）。
【０１１９】
メッシュ接続管理装置（１）は、ＩＰ電話通信の接続判定要求をメッシュ基地局（Ｆ）から受信すると、ＩＰ電話通信の接続要求元の追加端末装置（ＳＴＡ）と接続しているメッシュ基地局（Ｆ）と、ＩＰ電話通信の接続要求先の相手端末装置（ＳＴＡ）と接続しているメッシュポータル（１０）と、に対し、試験的なＩＰ電話通信を実行させるための制御指示を送信する（ステップＳ２３）。
【０１２０】
メッシュ基地局（Ｆ）とメッシュポータル（１０）とは、試験的なＩＰ電話通信を実行させるための制御指示をメッシュ接続管理装置（１）から受信した際に、ＲＴＰやＲＴＣＰ（RTP Control Protocol）等のメッセージ形式やＩＰパケットのＴＯＳフィールドの設定など、その無線ＬＡＮメッシュネットワーク（ＮＷ）においてＩＰ電話通信であることを識別することが可能なダミーのデータを含む試験的なＩＰパケットデータを生成し、その生成した試験的なＩＰパケットデータをメッシュポータル（１０）とメッシュ基地局（Ｆ）との２点間の中継ネットワークを介して相互に交換し合い、遅延、揺らぎ、パケット損失などのＩＰ電話通信の品質評価を行う際に必要な通信品質情報を収集する（ステップＳ２４）。
【０１２１】
そして、メッシュ基地局（Ｆ）とメッシュポータル（１０）とは、その収集した通信品質情報をメッシュ接続管理装置（１）に送信する（ステップＳ２５）。
【０１２２】
メッシュ接続管理装置（１）は、メッシュ基地局（Ｆ）とメッシュポータル（１０）とから送信された通信品質情報を取得し、その取得した通信品質情報を基に、所定の通信品質を満たすか否かを判断し、所定の通信品質を満たすと判断した場合には、追加端末装置（ＳＴＡ）のＩＰ電話通信の接続を容認すると判定することになる。また、所定の通信品質を満たさないと判断した場合には、追加端末装置（ＳＴＡ）のＩＰ電話通信の接続を拒否すると判定することになる（ステップＳ２６）。そして、メッシュ接続管理装置（１）は、ＩＰ電話通信の接続判定要求に対するＩＰ電話接続可否の判定結果をメッシュ基地局（Ｆ）に送信することになる（ステップＳ２７）。
【０１２３】
メッシュ基地局（Ｆ）は、メッシュ接続管理装置（１）から受信したＩＰ電話接続可否の判定結果を基に、追加端末装置（ＳＴＡ）からのＩＰ電話通信の接続要求を容認するか否かを判断することになり（ステップＳ２８）、メッシュ基地局（Ｆ）は、メッシュ接続管理装置（１）から受信した判定結果が、追加端末装置（ＳＴＡ）のＩＰ電話通信の接続を拒否すると判定した判定結果の場合には、追加端末装置（ＳＴＡ）からのＩＰ電話通信の接続要求を拒否し、追加端末装置（ＳＴＡ）のＩＰ電話通信の接続を容認すると判定した判定結果の場合には、追加端末装置（ＳＴＡ）のＩＰ電話通信の接続要求を容認することになる。
【０１２４】
このように、本実施形態におけるＩＰ電話通信システムは、無線ＬＡＮメッシュネットワーク（ＮＷ）を構成する各メッシュ基地局（Ａ〜Ｆ）、及び、メッシュポータル（１０）が、その各メッシュ基地局（Ａ〜Ｆ）、または、メッシュポータル（１０）とＩＰ電話通信の回線を確立している端末装置（ＳＴＡ１〜Ｎ）の中で、ＩＰ電話通信のデータ通信を行っていない無音状態の端末装置（ＳＴＡＮ）が存在するか否かを判断し、無音状態の端末装置（ＳＴＡＮ）が存在すると判断した場合に、各メッシュ基地局（Ａ〜Ｆ）、及び、メッシュポータル（１０）は、無音状態の端末装置（ＳＴＡＮ）がＩＰ電話通信のデータ通信を行っている状態に相当する疑似的なＩＰ電話通信を実行し、無線ＬＡＮメッシュネットワーク（ＮＷ）内に存在するＩＰ電話通信の回線を確立している全ての端末装置（ＳＴＡ１〜Ｎ）が仮想的なＩＰ電話通信のデータ通信を行っている状態にし、無線ＬＡＮメッシュネットワーク（ＮＷ）を最大帯域状態にする。
【０１２５】
そして、無線ＬＡＮメッシュネットワーク（ＮＷ）を最大帯域状態にした状態で、ＩＰ電話通信の回線を確立していない追加端末装置（ＳＴＡ）からＩＰ電話通信の接続要求が行われた際に、その追加端末装置（ＳＴＡ）が接続しているメッシュ基地局（Ｆ）と、追加端末装置（ＳＴＡ）とＩＰ電話通信を行う相手端末装置（ＳＴＡ）と接続しているメッシュポータル（１０）と、の間の中継ネットワーク間で試験的なＩＰ電話通信のデータ通信を実行し、メッシュ基地局（Ｆ）とメッシュポータル（１０）とは、その試験的なＩＰ電話通信のデータ通信を実行した際の通信品質情報を収集し、その収集した通信品質情報をメッシュ接続管理装置（１）に送信し、メッシュ接続管理装置（１）は、メッシュ基地局（Ｆ）とメッシュポータル（１０）とから受信した通信品質情報を基に、追加端末装置（ＳＴＡ）のＩＰ電話通信の接続可否の判定を行うことになる。
【０１２６】
これにより、無線ＬＡＮメッシュネットワーク（ＮＷ）を最大帯域状態にした状態で、新たにＩＰ電話通信を行いたい追加端末装置（ＳＴＡ）のＩＰ電話通信の接続可否の判断を行うことが可能となるため、無線ＬＡＮメッシュネットワーク（ＮＷ）内に存在するＩＰ電話通信の回線を確立した端末装置（ＳＴＡ１〜Ｎ）の中で、ＩＰ電話通信のデータ通信を行っていない無音状態の端末装置（ＳＴＡＮ）が存在する状況下でも、信頼性の高いＩＰ電話通信の接続可否の判断を行うことが可能となる。
【０１２７】
また、追加端末装置（ＳＴＡ）のＩＰ電話通信の接続を容認した後に、ＩＰ電話通信のデータ通信を行っていなかった無音状態の端末装置（ＳＴＡＮ）がＩＰ電話通信のデータ通信を行った場合でも、無線ＬＡＮメッシュネットワーク（ＮＷ）において一定の通信品質を維持できない状態を発生させることがないため、ＩＰ電話通信の接続を容認した全ての端末装置に対し、常に一定のサービス品質を保証することが可能となる。
【０１２８】
なお、上述した第２の実施形態のＩＰ電話通信システムにおけるステップＳ２６のＩＰ電話通信の接続可否の判定において、メッシュ接続管理装置（１）が、メッシュ基地局（Ｆ）とメッシュポータル（１０）とから受信した通信品質情報を基に、所定の通信品質を満たすか否かを判断する際の判断方法としては、例えば、試験的なＩＰ電話通信を行った際の無線ＬＡＮメッシュネットワーク（ＮＷ）の遅延、揺らぎ、パケット損失などの通信状態と、メッシュ接続管理装置（１）内に予め設定されている遅延時間、揺らぎ率、パケット損失率などの基準通信状態と、を比較し、試験的なＩＰ電話通信を行った際の無線ＬＡＮメッシュネットワーク（ＮＷ）の通信状態が、メッシュ接続管理装置（１）内に予め設定されている基準通信状態を満たしていると判断した場合には、所定の通信品質を満たすと判断し、試験的なＩＰ電話通信を行った際の無線ＬＡＮメッシュネットワーク（ＮＷ）の通信状態が、メッシュ接続管理装置（１）内に予め設定されている基準通信状態を満たしていないと判断した場合には、所定の通信品質を満たしていないと判断する判断方法が挙げられる。なお、所定の通信品質を満たすか否かを判断する際の判断方法は、特に、限定するものではなく、メッシュ基地局（Ｆ）とメッシュポータル（１０）とから受信した通信品質情報を用いて、所定の通信品質を満たすか否かを判断することが可能であれば、あらゆる判断方法を適用することは可能である。
【０１２９】
また、上述した第２の実施形態のＩＰ電話通信システムにおけるステップＳ２８のＩＰ電話通信の接続可否の判断において、メッシュ基地局（Ｆ）が、メッシュ接続管理装置（１）から受信したＩＰ電話通信の接続可否の判定結果を基に、追加端末装置（ＳＴＡ）のＩＰ電話通信の接続要求を容認するか否かを判断する際の判断方法も、特に限定するものではなく、様々な条件を踏まえて追加端末装置（ＳＴＡ）のＩＰ電話通信の接続要求を容認するか否かを判断することも可能である。
【０１３０】
例えば、メッシュ基地局（Ｆ）が、自メッシュ基地局（Ｆ）とＩＰ電話通信の回線を確立することが可能な端末装置の接続台数を管理し、その接続台数を基に、追加端末装置（ＳＴＡ）のＩＰ電話通信の接続可否を判定している場合には、その接続台数によるＩＰ電話通信の接続可否の判定結果と、メッシュ接続管理装置（１）から受信したＩＰ電話通信の接続可否の判定結果と、の両判定結果を用いて、追加端末装置（ＳＴＡ）のＩＰ電話通信の接続が可能と判断した場合に、追加端末装置（ＳＴＡ）のＩＰ電話通信の接続要求を容認するように構築することも可能である。これにより、無線ＬＡＮメッシュネットワーク（ＮＷ）の全無線区間を対象にした追加端末装置（ＳＴＡ）のＩＰ電話通信の接続可否を判断することが可能となる。
【０１３１】
また、上述した第２の実施形態のＩＰ電話通信システムにおける処理動作は、メッシュ基地局（Ｆ）が、ＩＰ電話通信の接続要求を追加端末装置（ＳＴＡ）から受信した際に、メッシュ基地局（Ｆ）が、メッシュ接続管理装置（１）に対し、ＩＰ電話通信の接続判定要求を送信することにしたが、メッシュ接続管理装置（１）に送信するＩＰ電話通信の接続判定要求の送信タイミングは、特に限定するものではなく、追加端末装置（ＳＴＡ）のハンドオーバに備えたＩＰ電話通信の接続可否の事前確認時など、任意の送信タイミングでＩＰ電話通信の接続判定要求をメッシュ接続管理装置（１）に送信するように構築することも可能である。
【０１３２】
また、上述した第２の実施形態のＩＰ電話通信システムにおける処理動作は、メッシュ基地局（Ｆ）に接続している追加端末装置（ＳＴＡ）と、外部ネットワークに接続している相手端末装置（ＳＴＡ）と、のＩＰ電話通信の接続可否について説明したため、メッシュ基地局（Ｆ）とメッシュポータル（１０）との２点間の中継ネットワーク間で試験的なＩＰ電話通信のデータ通信を実行し、追加端末装置（ＳＴＡ）のＩＰ電話通信の接続可否の判定を行うことにしたが、メッシュ基地局（Ｆ）と、メッシュポータル（１０）と、の２点間の中継ネットワーク間において様々なルートを経由して試験的なＩＰ電話通信のデータ通信を実行し、様々なルートを経由した際の通信品質情報を取得し、その取得した様々なルートを経由した際の通信品質情報を比較し、無線ＬＡＮメッシュネットワーク（ＮＷ）を最大帯域状態にした状態で、最も通信品質の良好な最適な中継ネットワークのルートを選別するような制御を行うことも可能である。
【０１３３】
また、上述した第２の実施形態のＩＰ電話通信システムにおける処理動作は、無線ＬＡＮメッシュネットワーク（ＮＷ）内においてＩＰ電話通信に対する優先制御が行われている場合には、擬似的なＩＰ電話通信を行う際に使用するＩＰパケットデータと試験的なＩＰ電話通信を行う際に使用するＩＰパケットデータとを、実際にＩＰ電話通信を行っているＩＰパケットデータよりも低い優先度で無線ＬＡＮメッシュネットワーク（ＮＷ）に送信するように制御することが好ましい。これにより、擬似的なＩＰ電話通信や、試験的なＩＰ電話通信を行った場合でも、無線ＬＡＮメッシュネットワーク（ＮＷ）に対する負荷を軽減することが可能となる。また、無線ＬＡＮメッシュネットワーク（ＮＷ）内で既にＩＰ電話通信のデータ通信を行っているＩＰパケットデータを優先的に送信することが可能となるため、実際にＩＰ電話通信を行っているＩＰパケットデータのデータ通信に対する影響を軽減することが可能となる。また、追加端末装置（ＳＴＡ）のＩＰ電話通信の接続可否の試験がより厳しい環境下で行われることになるため、ＩＰ電話通信の接続可否の判定結果を更に信頼性の高い判定結果にすることが可能となる。
【０１３４】
（第３の実施形態）
次に、第３の実施形態について説明する。
【０１３５】
上述した第２の実施形態におけるＩＰ電話通信システムは、図９、図１０に示すように、追加端末装置（ＳＴＡ）からのＩＰ電話通信の接続要求をメッシュ基地局（Ｆ）が受信した際に（ステップＳ２１）、メッシュ基地局（Ｆ）が、そのＩＰ電話通信の接続要求に対するＩＰ電話通信の接続判定要求をメッシュ接続管理装置（１）に送信し（ステップＳ２２）、メッシュ接続管理装置（１）が、ＩＰ電話通信の接続要求元の追加端末装置（ＳＴＡ）と接続しているメッシュ基地局（Ｆ）と、ＩＰ電話通信の接続要求先の相手端末装置（ＳＴＡ）と接続しているメッシュポータル（１０）と、に対し、試験的なＩＰ電話通信を実行させるための制御指示を送信し（ステップＳ２３）、メッシュ基地局（Ｆ）と、メッシュポータル（１０）と、の間で試験的なＩＰ電話通信を実行することにしたが（ステップＳ２４）、第３の実施形態におけるＩＰ電話通信システムは、図１２、図１３に示すように、追加端末装置（ＳＴＡ）と相手端末装置（ＳＴＡ）とのＩＰ電話通信の接続制御を管理するＳＩＰサーバ装置（２）が、追加端末装置（ＳＴＡ）からのＩＰ電話通信の接続要求を受信した際に（ステップＳ３１）、ＩＰ電話通信の接続要求があった追加端末装置（ＳＴＡ）と相手端末装置（ＳＴＡ）との接続情報をメッシュ接続管理装置（１）に送信し（ステップＳ３２）、メッシュ接続管理装置（１）は、ＳＩＰサーバ装置（２）から送信された接続情報を基に、追加端末装置（ＳＴＡ）と接続しているメッシュ基地局（Ｆ）と、相手端末装置（ＳＴＡ）と接続しているメッシュポータル（１０）と、に対し、試験的なＩＰ電話通信を実行させるための制御指示を送信し（ステップＳ３３）、メッシュ基地局（Ｆ）と、メッシュポータル（１０）と、の間で試験的なＩＰ電話通信を実行することを特徴とするものである（ステップＳ３４）。このように、ＳＩＰサーバ装置（２）からの接続情報を基に、試験的なＩＰ電話通信を実行するようにすることも可能である。以下、図１１〜図１３を参照しながら、第３の実施形態のＩＰ電話通信システムについて詳細に説明する。
【０１３６】
まず、図１１を参照しながら、第３の実施形態におけるＩＰ電話通信システムのシステム構成について説明する。
【０１３７】
第３の実施形態におけるＩＰ電話通信システムは、メッシュ接続管理装置（１）と、メッシュポータル（１０）と、複数のメッシュ基地局（Ａ〜Ｆ）と、複数の端末装置（ＳＴＡ１〜Ｎ）と、ＳＩＰサーバ装置（２）と、を有して構成される。
【０１３８】
なお、第３の実施形態におけるＩＰ電話通信システムは、図５に示す第２の実施形態におけるＩＰ電話通信システムに対し、ＩＰ電話通信の接続制御を管理するためのＳＩＰサーバ装置（２）を新たに搭載し、ＳＩＰサーバ装置（２）が、追加端末装置（ＳＴＡ）と相手端末装置（ＳＴＡ）とのＩＰ電話通信の接続制御を管理することになる。
【０１３９】
次に、図１２、図１３を参照しながら、第３の実施形態のＩＰ電話通信システムにおける一連の処理動作について説明する。なお、以下の処理動作は、第２の実施形態と同様に、図１１、図１２に示すように、無線ＬＡＮメッシュネットワーク（ＮＷ）内に存在するメッシュ基地局（Ａ〜Ｆ）とＩＰ電話通信の回線を確立していない追加端末装置（ＳＴＡ）が、外部ネットワークに接続している相手端末装置（ＳＴＡ）との間でＩＰ電話通信を行うためのＩＰ電話通信の接続要求を、メッシュ基地局（Ｆ）に送信した場合の処理動作について説明する。
【０１４０】
まず、無線ＬＡＮメッシュネットワーク（ＮＷ）を構成する各メッシュ基地局（Ａ〜Ｆ）及びメッシュポータル（１０）は、図３に示す制御動作と同様な制御動作を行い、各メッシュ基地局（Ａ〜Ｆ）またはメッシュポータル（１０）とＩＰ電話通信の回線を確立している全ての端末装置（ＳＴＡ１〜Ｎ）が仮想的なＩＰ電話通信のデータ通信を行っている状態にする。
【０１４１】
これにより、無線ＬＡＮメッシュネットワーク（ＮＷ）を構成するメッシュ基地局（Ａ〜Ｆ）またはメッシュポータル（１０）とＩＰ電話通信の回線を確立している全ての端末装置（ＳＴＡ１〜Ｎ）が仮想的なＩＰ電話通信のデータ通信を行っている状態にし、無線ＬＡＮメッシュネットワーク（ＮＷ）を最大帯域状態にすることが可能となる。
【０１４２】
次に、無線ＬＡＮメッシュネットワーク（ＮＷ）を最大帯域状態にした状態で、ＩＰ電話通信の回線を確立していない追加端末装置（ＳＴＡ）が、外部ネットワークに接続されている相手端末装置（ＳＴＡ）とのＩＰ電話通信を行うためのＩＰ電話通信の接続要求（ＩＮＶＩＴＥ）をメッシュ基地局（Ｆ）を介してＳＩＰサーバ装置（２）に送信する（ステップＳ３１）。
【０１４３】
ＳＩＰサーバ装置（２）は、追加端末装置（ＳＴＡ）からＩＰ電話通信の接続要求（ＩＮＶＩＴＥ）を受信すると、そのＩＰ電話通信の接続要求元の追加端末装置（ＳＴＡ）と、追加端末装置（ＳＴＡ）とＩＰ電話通信を行う相手端末装置（ＳＴＡ）と、の接続情報をメッシュ接続管理装置（１）に送信する（ステップＳ３２）。
【０１４４】
メッシュ接続管理装置（１）は、ＳＩＰサーバ装置（２）から接続情報を受信すると、その受信した接続情報を基に、ＩＰ電話通信の接続要求元の追加端末装置（ＳＴＡ）と接続しているメッシュ基地局（Ｆ）と、相手端末装置（ＳＴＡ）と接続しているメッシュポータル（１０）と、を特定し、その特定したメッシュ基地局（Ｆ）と、メッシュポータル（１０）と、に対し、試験的なＩＰ電話通信を実行させるための制御指示を送信する（ステップＳ３３）。
【０１４５】
これにより、メッシュ基地局（Ｆ）とメッシュポータル（１０）とは、メッシュ接続管理装置（１）から制御指示を受信することになり、第２の実施形態と同様に、無線ＬＡＮメッシュネットワーク（ＮＷ）でＩＰ電話通信の識別が可能なダミーのデータを含む試験的なＩＰパケットデータを生成し、その生成した試験的なＩＰパケットデータをメッシュポータル（１０）とメッシュ基地局（Ｆ）との間の中継ネットワークを介して相互に交換し合い、遅延、揺らぎ、パケット損失などのＩＰ電話通信の品質評価を行う際に必要な通信品質情報を収集することになる（ステップＳ３４）。なお、ステップＳ３５〜ステップＳ３８の処理は、第２の実施形態のステップＳ２５〜ステップＳ２８までと同様な処理動作を行うことになる。
【０１４６】
このように、第３の実施形態におけるＩＰ電話通信システムは、ＩＰ電話通信の接続制御を行うＳＩＰサーバ装置（２）が、新たにＩＰ電話通信を行うことになる追加端末装置（ＳＴＡ）からのＩＰ電話通信の接続要求（ＩＮＶＩＴＥ）を受信した際に、その追加端末装置（ＳＴＡ）と相手端末装置（ＳＴＡ）との接続情報をメッシュ接続管理装置（１）に送信し、メッシュ接続管理装置（１）が、そのＳＩＰサーバ装置（２）から受信した接続情報を基に、ＩＰ電話通信を行うことになる端末装置（ＳＴＡ）と接続しているメッシュ基地局（Ｆ）及びメッシュポータル（１０）を特定し、該特定したメッシュ基地局（Ｆ）及びメッシュポータル（１０）に対し、試験的なＩＰ電話通信を実行させるようにすることで、第２の実施形態と同様に、無線ＬＡＮメッシュネットワーク（ＮＷ）を最大帯域状態にした状態で、新たにＩＰ電話通信を行いたい追加端末装置（ＳＴＡ）のＩＰ電話通信の接続可否の判断を行うことが可能となるため、無線ＬＡＮメッシュネットワーク（ＮＷ）内に存在するＩＰ電話通信の回線を確立した端末装置（ＳＴＡ１〜Ｎ）の中で、ＩＰ電話通信のデータ通信を行っていない無音状態の端末装置（ＳＴＡＮ）が存在する状況下でも、信頼性の高いＩＰ電話通信の接続可否の判定を行うことが可能となる。
【０１４７】
なお、上述した第３の実施形態におけるＩＰ電話通信システムは、図１２、図１３に示すように、メッシュ接続管理装置（１）がＩＰ電話接続可否の判定結果をメッシュ基地局（Ｆ）に対して送信し（ステップＳ３７）、メッシュ基地局（Ｆ）は、メッシュ接続管理装置（１）から受信したＩＰ電話接続可否の判定結果を基に、追加端末装置（ＳＴＡ）からのＩＰ電話通信の接続要求を容認するか否かを判断することにしたが（ステップＳ３８）、図１４、図１５に示すように、メッシュ接続管理装置（１）がＩＰ電話接続可否の判定結果をＳＩＰサーバ装置（２）に送信し（ステップＳ４７）、ＳＩＰサーバ装置（２）は、メッシュ接続管理装置（１）から受信したＩＰ電話接続可否の判定結果を基に、追加端末装置（ＳＴＡ）からのＩＰ電話通信の接続要求を容認するか否かを判断し（ステップＳ４８）、その判断結果をメッシュ基地局（Ｆ）を介して追加端末装置（ＳＴＡ）に送信するように構築することも可能である（ステップＳ４９）。なお、ＳＩＰサーバ装置（２）は、メッシュ接続管理装置（１）から受信したＩＰ電話接続可否の判定結果を基に、追加端末装置（ＳＴＡ）からのＩＰ電話通信の接続要求を拒否する場合には、ＩＰ電話通信の接続要求が出来ない旨のエラーメッセージや接続拒否メッセージなどを追加端末装置（ＳＴＡ）に送信することも可能である。
【０１４８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１４９】
例えば、上述した第２、第３の実施形態のＩＰ電話通信システムを構成するメッシュ接続管理装置（１）は、外部ネットワークに配置することにしたが、メッシュ基地局（Ａ〜Ｆ）の拡張機能等で無線ＬＡＮメッシュネットワーク（ＮＷ）内に配置することも可能である。また、メッシュ接続管理装置（１）の機能を、各メッシュ基地局（Ａ〜Ｆ）内に搭載することも可能である。
【０１５０】
また、第１の実施形態のＩＰ電話通信システムを構成する各無線基地局（ＡＰ１〜Ｎ）、第２、第３の実施形態のＩＰ電話通信システムを構成するメッシュ基地局（Ａ〜Ｆ）、メッシュポータル（１０）等の制御装置が上述した図３に示す制御動作を行うタイミングは、特に限定するものではなく、追加端末装置（ＳＴＡ）がＩＰ電話通信の接続要求を行う前に行っていればよく、制御装置が図３に示す制御動作を常に実行したり、同一のネットワークを構成する複数の制御装置間で同期させて図３に示す制御動作を実行したり、追加端末装置からのＩＰ電話通信の接続要求が行われた際に、制御装置が図３に示す制御動作を実行するように構築することも可能である。
【０１５１】
また、上述した実施形態のＩＰ電話通信システムにおいて、ＩＰ電話通信の回線を確立した端末装置と判断する際の判断基準は、特に限定するものではなく、様々なシステム制御の基で規定された判断基準を基に、ＩＰ電話通信の回線を確立した端末装置と判断し、そのＩＰ電話通信の回線を確立した端末装置を管理することが可能であれば、あらゆる判断基準を適用することは可能である。
【０１５２】
また、上述した実施形態のＩＰ電話通信システムにおいて、無音状態の端末装置（ＳＴＡＮ）は、無音圧縮機能などによりＩＰ電話通信のデータ通信を休止している端末装置に限定されるものではなく、ＩＰ電話通信システムにおいてＩＰ電話通信用の帯域が確保されているがＩＰ電話通信を行っていない端末装置も包含されることはいうまでもない。
【０１５３】
また、上述した第１の実施形態のＩＰ電話通信システムを構成する無線基地局（ＡＰ１〜Ｎ）、第２、第３の実施形態のＩＰ電話通信システムを構成するメッシュ接続管理装置（１）、メッシュ基地局（Ａ〜Ｆ）、メッシュポータル（１０）等の制御装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した各制御装置に読み込ませることで、上述した制御動作を、各制御装置において実行させることも可能である。また、所定のネットワークを介して接続されている外部機器から上記プログラムを上述した各制御装置に読み込ませることで、上述した制御動作を、各制御装置において実行させることも可能である。
【産業上の利用可能性】
【０１５４】
本発明にかかる接続制御装置、ＩＰ電話通信システム、接続制御方法及び接続制御プログラムは、音声データや映像データを含むマルチメディアデータのＩＰ電話通信に適用可能であり、ＩＰ電話通信のデータ通信を行っていない無音状態の端末装置が存在するネットワーク環境に適用可能である。
【図面の簡単な説明】
【０１５５】
【図１】第１の実施形態におけるＩＰ電話通信システムのシステム構成を説明するための図である。
【図２】第１の実施形態のＩＰ電話通信システムを構成する無線基地局（ＡＰ１〜Ｎ）の内部構成を示す図である。
【図３】ＩＰ電話通信の回線を確立している全ての端末装置（ＳＴＡ１〜Ｎ）がＩＰ電話通信のデータ通信を行っている状態にするための制御動作を示すフロチャートである（擬似ＩＰ電話通信）。
【図４】第１の実施形態のＩＰ電話通信システムにおける処理動作を示すシーケンスチャートである。
【図５】第２の実施形態におけるＩＰ電話通信システムのシステム構成を示す図である。
【図６】第２の実施形態のＩＰ電話通信システムを構成するメッシュ接続管理装置（１）の内部構成を示す図である。
【図７】第２の実施形態のＩＰ電話通信システムを構成するメッシュ基地局（Ａ〜Ｆ）の内部構成を示す図である。
【図８】第２の実施形態のＩＰ電話通信システムを構成するメッシュポータル（１０）の内部構成を示す図である。
【図９】第２の実施形態のＩＰ電話通信システムにおける処理動作を説明するための図である。
【図１０】第２の実施形態のＩＰ電話通信システムにおける処理動作を説明するためのシーケンスチャートである。
【図１１】第３の実施形態におけるＩＰ電話通信システムのシステム構成を示す図である。
【図１２】第３の実施形態のＩＰ電話通信システムにおける第１の処理動作を説明するための図である。
【図１３】第３の実施形態のＩＰ電話通信システムにおける第１の処理動作を説明するためのシーケンスチャートである。
【図１４】第３の実施形態のＩＰ電話通信システムにおける第２の処理動作を説明するための図である。
【図１５】第３の実施形態のＩＰ電話通信システムにおける第２の処理動作を説明するためのシーケンスチャートである。
【図１６】コールアドミッション制御の一例を説明するための図である。
【図１７】試験的なＩＰパケットデータを基に、追加端末装置（ＳＴＡ）のＩＰ電話通信の接続可否を判断する際の処理動作例を説明するための図である。
【図１８】ＩＰ電話通信のデータ通信を行っていない無音状態の端末装置が存在する場合の問題点を説明するための図である。
【符号の説明】
【０１５６】
１    メッシュ接続管理装置
２    ＳＩＰサーバ装置
１０    メッシュポータル
ＡＰ１〜Ｎ（Ｎは、任意の整数）    無線基地局
ＳＴＡ１〜Ｎ    端末装置（但し、ＳＴＡＮは、無音状態の端末装置）
ＳＴＡ    追加端末装置、相手端末装置
ＮＷ    ネットワーク（無線ＬＡＮメッシュネットワーク）
Ａ〜Ｆ    メッシュ基地局
２０１、３０１    通信部
２０２、３０２    制御部
２０３    記憶部
２０４    アンテナ
３０３    接続管理部
４１０、５１０    メッシュポイント制御部
４１１、５１１    試験ＩＰ電話制御部
４１２、５１２    擬似ＩＰ電話制御部
４２０    アクセス・ポイント制御部
５２０    外部ネットワーク制御部
【図１】
2007267266.tif 000003
【図２】
2007267266.tif 000004
【図３】
2007267266.tif 000005
【図４】
2007267266.tif 000006
【図５】
2007267266.tif 000007
【図６】
2007267266.tif 000008
【図７】
2007267266.tif 000009
【図８】
2007267266.tif 000010
【図９】
2007267266.tif 000011
【図１０】
2007267266.tif 000012
【図１１】
2007267266.tif 000013
【図１２】
2007267266.tif 000014
【図１３】
2007267266.tif 000015
【図１４】
2007267266.tif 000016
【図１５】
2007267266.tif 000017
【図１６】
2007267266.tif 000018
【図１７】
2007267266.tif 000019
【図１８】
2007267266.tif 000020